(57)【特許請求の範囲】
【請求項１】
洗浄組成物であって、
１重量％〜７０重量％の界面活性剤と、
０．１％〜１０％の、式（Ｉ）、式（ＩＩ）のポリエーテルアミン、又はこれらの混合物と、を含む洗浄組成物。
【化１】
0006396583.tif 000030
【化２】
0006396583.tif 000031
（式中、Ｒ１〜Ｒ１２の各々が独立して、Ｈ、アルキル、シクロアルキル、アリール、アルキルアリール、又はアリールアルキルから選択され、Ｒ１〜Ｒ６のうちの少なくとも１つ、及びＲ７〜Ｒ１２のうちの少なくとも１つが、Ｈとは異なり、  Ａ１〜Ａ９の各々が独立して、２〜１８個の炭素原子を有する線状又は分岐状アルキレンから選択され、Ｚ１〜Ｚ４の各々が独立して、ＯＨ、ＣＨ２ＣＨ２ＣＨ２ＮＨ２、ＮＨ２、ＮＨＲ’、又はＮＲ’Ｒ”から選択され、
アミノ化度が、５０％未満であり、式中、Ｒ’及びＲ”が独立して、２〜６個の炭素原子を有するアルキレンから選択され、ｘ＋ｙの合計が、２〜２００の範囲であり、ここで、ｘ≧１及びｙ≧１であり、ｘ１＋ｙ１の合計が、２〜２００の範囲であり、ここで、ｘ１≧１及びｙ１≧１である）
【請求項２】
前記式（Ｉ）又は式（ＩＩ）のポリエーテルアミンにおいて、アミノ化度が３０％〜５０％未満の範囲である、請求項１に記載の洗浄組成物。
【請求項３】
前記式（Ｉ）又は式（ＩＩ）のポリエーテルアミンにおいて、ｘ＋ｙが２〜２０の範囲であり、ｘ１＋ｙ１が２〜２０の範囲である、請求項１に記載の洗浄組成物。
【請求項４】
前記ポリエーテルアミンが、ポリエーテルアミン混合物であって、前記ポリエーテルアミン混合物の少なくとも９０重量％の前記式（Ｉ）のポリエーテルアミン、前記式（ＩＩ）のポリエーテルアミン、又はこれらの混合物を含む、ポリエーテルアミン混合物を含む、請求項１に記載の洗浄組成物。
【請求項５】
前記式（Ｉ）又は式（ＩＩ）のポリエーテルアミンにおいて、Ａ１〜Ａ９の各々が独立して、エチレン、プロピレン、又はブチレンから選択される、請求項１に記載の洗浄組成物。
【請求項６】
前記式（Ｉ）又は式（ＩＩ）のポリエーテルアミンにおいて、Ａ１〜Ａ９の各々が、プロピレンである、請求項１に記載の洗浄組成物。
【請求項７】
前記式（Ｉ）又は式（ＩＩ）のポリエーテルアミンにおいて、Ｒ１、Ｒ２、Ｒ５、Ｒ６、Ｒ７、Ｒ８、Ｒ１１、及びＲ１２の各々が、Ｈであり、Ｒ３、Ｒ４、Ｒ９、及びＲ１０の各々が独立して、Ｃ１〜Ｃ１６アルキル又はアリールから選択される、請求項１に記載の洗浄組成物。
【請求項８】
前記式（Ｉ）又は式（ＩＩ）のポリエーテルアミンにおいて、Ｒ１、Ｒ２、Ｒ５、Ｒ６、Ｒ７、Ｒ８、Ｒ１１、及びＲ１２の各々が、Ｈであり、Ｒ３、Ｒ４、Ｒ９、及びＲ１０の各々が独立して、ブチル基、エチル基、メチル基、プロピル基、又はフェニル基から選択される、請求項１に記載の洗浄組成物。
【請求項９】
前記式（Ｉ）又は式（ＩＩ）のポリエーテルアミンにおいて、Ｒ１、Ｒ２、Ｒ７、及びＲ８の各々が、Ｈであり、Ｒ３、Ｒ４、Ｒ５、Ｒ６、Ｒ９、Ｒ１０、Ｒ１１、及びＲ１２の各々が独立して、エチル基、メチル基、プロピル基、ブチル基、フェニル基、又はＨから選択される、請求項１に記載の洗浄組成物。
【請求項１０】
前記式（Ｉ）又は式（ＩＩ）のポリエーテルアミンにおいて、Ｒ３及びＲ９の各々が、エチル基であり、Ｒ４及びＲ１０の各々が、ブチル基であり、Ｒ１、Ｒ２、Ｒ５、Ｒ６、Ｒ７、Ｒ８、Ｒ１１、及びＲ１２の各々が、Ｈである、請求項１に記載の洗浄組成物。
【請求項１１】
前記ポリエーテルアミンが、２９０〜１０００グラム／モルの重量平均分子量を有する、請求項１に記載の洗浄組成物。
【請求項１２】
０．００１重量％〜１重量％の酵素を更に含む、請求項１に記載の洗浄組成物。
【請求項１３】
前記酵素が、リパーゼ、アミラーゼ、プロテアーゼ、マンナナーゼ、又はこれらの組み合わせから選択される、請求項１２に記載の洗浄組成物。
【請求項１４】
前記界面活性剤が、アニオン性界面活性剤、カチオン性界面活性剤、非イオン性界面活性剤、両性界面活性剤から選択される１つ以上の界面活性剤を含む、請求項１に記載の洗浄組成物。
【請求項１５】
０．１重量％〜１０重量％の追加のアミンを更に含む、請求項１に記載の洗浄組成物。
【発明の詳細な説明】
【技術分野】
【０００１】
本発明はポリエーテルアミンを含有する洗浄組成物、より詳細には汚れた素材からのしみの除去に好適なポリエーテルアミンを含有する洗浄組成物に関する。
【背景技術】
【０００２】
合成繊維製のイージケアの布地の人気の増大並びに増加し続けるエネルギーコスト及び洗剤ユーザーのエコロジー面での懸念の高まりにより、一時は人気のあった温水及び熱水洗浄は、冷水（３０℃以下）での布地洗浄に優先順位を譲った。多数の市販の洗濯洗剤は、１５℃、又は更には９℃での布地の洗浄に好適であるとさえ宣伝されている。そのような低温で満足のいく洗浄結果、即ち熱水洗浄で得られる結果に匹敵する結果を達成するために、低温洗剤への要求はとりわけ高い。
【０００３】
３０℃以下の温度で油しみの除去を改善するように、ある特定の添加剤を洗剤組成物中に含めて従来の界面活性剤の洗浄力を増強することが知られている。例えば、少なくとも１つの合成アニオン性及び／又は非イオン性界面活性剤に加えて脂肪族アミン化合物を含有する洗濯洗剤が既知である。また、洗濯洗剤において直鎖状アルキル変成（二級）アルコキシプロピルアミンを使用して、低温での洗浄を改善することが既知である。しかしながら、これらの既知の洗濯洗剤は、低温での満足な洗浄を達成することはできない。
【０００４】
更に、洗濯洗剤の芳香を安定させ、より長く持続する香りを付与するための直鎖の一級ポリオキシアルキレンアミン（例えば、Ｊｅｆｆａｍｉｎｅ（登録商標）Ｄ−２３０）の使用も既知である。また、液体洗剤における起泡を抑制するために高分子量（少なくとも約１０００の分子量）の分岐状三官能性一級アミン（例えば、Ｊｅｆｆａｍｉｎｅ（登録商標）Ｔ−５０００ポリエーテルアミン）を使用することも既知である。加えて、モノエーテルジアミン（例えば、エーテルアミン混合物の少なくとも１０重量％）を含有するエーテルアミン混合物、その製造方法、及びポリマーの合成における硬化剤又は原材料としてのその使用が知られている。終りに、ジアミン又はポリアミンとアルキレンオキシド及びアミン末端ポリエーテルとエポキシド官能性化合物との反応から誘導される化合物との反応から誘導される化合物を使用して、起泡を抑制することが知られている。
【発明の概要】
【発明が解決しようとする課題】
【０００５】
洗濯洗剤の製造及び品質をどのような形であっても妨害せずに、低洗浄温度、例えば３０℃以下で洗浄性能を改善することができる洗剤添加剤に対する継続的なニーズが存在する。より具体的には、微粒子洗浄に悪影響を及ぼさずに冷水でのグリース洗浄を改善できる、洗剤添加剤を求めるニーズが存在する。驚くべきことに、本発明の洗浄組成物は、（特に、冷水中で）増大されたグリース除去を提供することが分かった。これらのポリエーテルアミン化合物は、驚くほど有効なグリース除去をもたらす。
【課題を解決するための手段】
【０００６】
本発明は、約１重量％〜約７０重量％の界面活性剤と、約０．１重量％〜約１０重量％の、式（Ｉ）、式（ＩＩ）のポリエーテルアミン、又はこれらの混合物とを含む、洗浄組成物を提供することによって、ニーズのうちの１つ以上を解決することを試みる。
【０００７】
【化１】
0006396583.tif 000002
【０００８】
【化２】
0006396583.tif 000003
（式中、Ｒ１〜Ｒ１２の各々は独立して、Ｈ、アルキル、シクロアルキル、アリール、アルキルアリール、又はアリールアルキルから選択され、Ｒ１〜Ｒ６のうちの少なくとも１つ及びＲ７〜Ｒ１２のうちの少なくとも１つは、Ｈとは異なり、
Ａ１〜Ａ９の各々は独立して、２〜１８個の炭素原子を有する線状又は分岐状アルキレンから選択され、Ｚ１〜Ｚ４の各々は独立して、ＯＨ、ＣＨ２ＣＨ２ＣＨ２ＮＨ２、ＮＨ２、ＮＨＲ’、又はＮＲ’Ｒ”から選択され、アミノ化度は、５０％未満であり、式中、Ｒ’及びＲ”は独立して、２〜６個の炭素原子を有するアルキレンから選択され、ｘ＋ｙの合計は、約２〜約２００の範囲であり、ここで、ｘ≧１及びｙ≧１であり、ｘ１＋ｙ１の合計は、約２〜約２００の範囲であり、ここで、ｘ１≧１及びｙ１≧１である）洗浄組成物は、１つ以上の洗浄補助添加剤を更に含み得る。
【０００９】
別の態様では、本発明は、約１重量％〜約７０重量％の界面活性剤と、約０．１重量％〜約１０重量％のポリエーテルアミンとを含む洗浄組成物に関し、該ポリエーテルアミンは、
ａ）式（ＩＩＩ）の１，３−ジオールとＣ２〜Ｃ１８アルキレンオキシドとを反応させて、アルコキシル化１，３−ジオールを形成し（ここで、１，３−ジオールとＣ２〜Ｃ１８アルキレンオキシドとのモル比は、約１：２〜約１：１０の範囲である）、
【００１０】
【化３】
0006396583.tif 000004
（式中、Ｒ１〜Ｒ６は独立して、Ｈ、アルキル、シクロアルキル、アリール、アルキルアリール、又はアリールアルキルから選択され、Ｒ１〜Ｒ６のうちの少なくとも１つは、Ｈとは異なる）続いて、
ｂ１）アルコキシル化１，３−ジオールをアンモニアによりアミノ化するか、又は
ｂ２）アルコキシル化１，３−ジオールを還元シアノエチル化するかのいずれかにより得られる。
【００１１】
本発明は、更に、汚れた素材の洗浄方法に関する。そのような方法は、汚れた素材を本発明の洗浄組成物と接触させることを含む、汚れた素材の前処理を含む。
【発明を実施するための形態】
【００１２】
本発明の種々の実施形態の特性及び利点は、本発明の幅広い表現を与えるよう意図される特定の実施形態の例を含む以下の記載から明らかになる。様々な改変がこの説明及び本発明の実施から当業者には明白であろう。この範囲は開示された特定の形に限定されるようには意図されず、及び本発明は、特許請求の範囲により定義されるような本発明の趣旨及び範囲内に入る全ての改変、均等物、及び代替物を網羅する。
【００１３】
本明細書において使用するとき、「ｔｈｅ」、「ａ」、及び「ａｎ」などの冠詞は、特許請求の範囲又は明細書において使用される場合、特許請求又は記載されているもののうちの１つ以上を意味するように理解される。
【００１４】
本明細書で使用するとき、用語「含む（include）」、「含む（includes）」、及び「含んでいる（including）」は、非限定であることが意図される。
【００１５】
本明細書で使用するとき、用語「〜を実質的に含まない（substantially free of）」又は「〜を実質的に含まない（substantially free from）」は、示された材料が最低限組成物の一部を形成するために意図的に組成物に添加されず、又は、好ましくは分析により検出可能な濃度で存在しないことを意味する。それは、示された材料が、意図的に含まれるその他の材料のうちの１つの中に不純物としてのみ存在する、組成物を含むことが意図される。
【００１６】
本明細書で使用するとき、用語「汚れた素材」は、非特定的に使用され、限定ではないが木綿、亜麻布、ウール、ポリエステル、ナイロン、絹、アクリル及びこれらに類するものなどの天然、人工、及び合成繊維を含む、天然又は人工繊維の網状構造、並びに様々なブレンド及び組み合わせからなる任意の種類の可撓性材料を指してもよい。汚れた素材は、限定ではないがタイル、花崗岩、しっくい、ガラス、複合物、ビニル、堅木、金属、調理用表面、プラスチック、及びこれらに類するものなどの天然、人工、及び合成表面を含む、任意の種類の硬質表面、並びに様々なブレンド及び組み合わせを更に指してもよい。
【００１７】
引用される特許文献及び他の文献は全て、関連部分において、あたかもそれが本明細書に完全に再記述されているかのように参照により組み込まれる。いかなる特許文献又は他の文献の引用も、引用される特許文献及び他の文献が本発明に対する先行技術であると認めるものではない。
【００１８】
本説明では、全ての濃度及び比率は、別途記載のない限り、洗浄剤組成物の重量に基づくものである。
【００１９】
洗浄組成物
本明細書で使用するとき、語句「洗浄組成物」は、汚れた素材を洗浄するよう設計された組成物及び配合物を含む。そのような組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤又は組成物、洗濯すすぎ添加剤、洗浄添加剤、すすぎ後布地トリートメント、アイロン助剤、食器洗浄組成物、硬質面洗浄組成物、単位分量配合剤、遅延送達配合剤、多孔性基材又は不織布の上又は中に含有される洗剤、及び本明細書の教示を考慮すると当業者には明白な他の好適な形態を含むが、これらに限定されない。そのような組成物は、洗濯前処理、洗濯後処理として、使用されてもよく、あるいは、洗濯作業のすすぎ又は洗浄サイクル中に添加されてもよい。この洗浄組成物は、液体、粉末、単相又は多相の単位用量、パウチ、錠剤、ゲル、ペースト、バー、又はフレークから選択される形状を有してもよい。
【００２０】
ポリエーテルアミン
本明細書に記載の洗剤組成物は、組成物の約０．１重量％〜約１０重量％、いくつかの例では、約０．２重量％〜約５重量％、他の例では、約０．５重量％〜約３重量％のポリエーテルアミンを含み得る。
【００２１】
いくつかの態様では、ポリエーテルアミンは、式（Ｉ）の構造により表される。
【００２２】
【化４】
0006396583.tif 000005
（式中、Ｒ１〜Ｒ６の各々は独立して、Ｈ、アルキル、シクロアルキル、アリール、アルキルアリール、又はアリールアルキルから選択され、Ｒ１〜Ｒ６のうちの少なくとも１つは、Ｈとは異なり、典型的には、Ｒ１〜Ｒ６のうちの少なくとも１つは、２〜８個の炭素原子を有するアルキル基であり、Ａ１〜Ａ６の各々は独立して、２〜１８個の炭素原子、典型的には２〜１０個の炭素原子、より典型的には２〜５個の炭素原子を有する線状又は分岐状アルキレンから選択され、Ｚ１〜Ｚ２の各々は独立して、ＯＨ、ＣＨ２ＣＨ２ＣＨ２ＮＨ２、ＮＨ２、ＮＨＲ’、又はＮＲ’Ｒ”から選択され、アミノ化度は、５０％未満であり、式中、Ｒ’及びＲ”は独立して、２〜６個の炭素原子を有するアルキレンから選択され、ｘ＋ｙの合計は、約２〜約２００、典型的には約２〜約２０又は約３〜約２０、より典型的には約２〜約１０又は約３〜約８又は約４〜約６の範囲であり、ここで、ｘ≧１及びｙ≧１であり、ｘ１＋ｙ１の合計は、約２〜約２００、典型的には約２〜約２０又は約３〜約２０、より典型的には約２〜約１０又は約３〜約８又は約２〜約４の範囲であり、ここで、ｘ１≧１及びｙ１≧１である）。
【００２３】
いくつかの態様では、式（Ｉ）のポリエーテルアミンにおいて、Ａ１〜Ａ６の各々は独立して、エチレン、プロピレン、又はブチレンから選択され、典型的には、Ａ１〜Ａ６の各々は、プロピレンである。ある態様では、式（Ｉ）のポリエーテルアミンにおいて、Ｒ１、Ｒ２、Ｒ５、及びＲ６の各々はＨであり、Ｒ３及びＲ４の各々は独立して、Ｃ１〜Ｃ１６アルキル又はアリールから選択され、典型的には、Ｒ１、Ｒ２、Ｒ５、及びＲ６の各々はＨであり、Ｒ３及びＲ４の各々は独立して、ブチル基、エチル基、メチル基、プロピル基、又はフェニル基から選択される。いくつかの態様では、式（Ｉ）のポリエーテルアミンにおいて、Ｒ３はエチル基であり、Ｒ１、Ｒ２、Ｒ５、及びＲ６の各々はＨであり、Ｒ４はブチル基である。いくつかの態様では、式（Ｉ）のポリエーテルアミンにおいて、Ｒ１及びＲ２の各々はＨであり、Ｒ３、Ｒ４、Ｒ５、及びＲ６の各々は独立して、エチル基、メチル基、プロピル基、ブチル基、フェニル基、又はＨから選択される。
【００２４】
いくつかの態様では、ポリエーテルアミンは、式（ＩＩ）の構造により表される。
【００２５】
【化５】
0006396583.tif 000006
（式中、Ｒ７〜Ｒ１２の各々は独立して、Ｈ、アルキル、シクロアルキル、アリール、アルキルアリール、又はアリールアルキルから選択され、Ｒ７〜Ｒ１２のうちの少なくとも１つは、Ｈとは異なり、典型的には、Ｒ７〜Ｒ１２のうちの少なくとも１つは、２〜８個の炭素原子を有するアルキル基であり、Ａ７〜Ａ９の各々は独立して、２〜１８個の炭素原子、典型的には２〜１０個の炭素原子、より典型的には２〜５個の炭素原子を有する線状又は分岐状アルキレンから選択され、Ｚ３〜Ｚ４の各々は独立して、ＯＨ、ＣＨ２ＣＨ２ＣＨ２ＮＨ２、ＮＨ２、ＮＨＲ’、又はＮＲ’Ｒ”から選択され、アミノ化度は、５０％未満であり、式中、Ｒ’及びＲ”は独立して、２〜６個の炭素原子を有するアルキレンから選択され、ｘ＋ｙの合計は、約２〜約２００、典型的には約２〜約２０又は約３〜約２０、より典型的には約２〜約１０又は約３〜約８又は約２〜約４の範囲であり、ここで、ｘ≧１及びｙ≧１であり、ｘ１＋ｙ１の合計は、約２〜約２００、典型的には約２〜約２０又は約３〜約２０、より典型的には約２〜約１０又は約３〜約８又は約２〜約４の範囲であり、ここで、ｘ１≧１及びｙ１≧１である）。
【００２６】
いくつかの態様では、式（ＩＩ）のポリエーテルアミンにおいて、Ａ７〜Ａ９の各々は独立して、エチレン、プロピレン、又はブチレンから選択され、典型的には、Ａ７〜Ａ９の各々は、プロピレンである。ある特定の態様では、式（ＩＩ）のポリエーテルアミンにおいて、Ｒ７、Ｒ８、Ｒ１１、及びＲ１２の各々はＨであり、Ｒ９及びＲ１０の各々は独立して、Ｃ１〜Ｃ１６アルキル又はアリールから選択され、典型的には、Ｒ７、Ｒ８、Ｒ１１、及びＲ１２の各々はＨであり、Ｒ９及びＲ１０の各々は独立して、ブチル基、エチル基、メチル基、プロピル基、又はフェニル基から選択される。いくつかの態様では、式（ＩＩ）のポリエーテルアミンにおいて、Ｒ９はエチル基であり、Ｒ７、Ｒ８、Ｒ１１、及びＲ１２の各々はＨであり、Ｒ１０はブチル基である。いくつかの態様では、式（ＩＩ）のポリエーテルアミンにおいて、Ｒ７及びＲ８の各々はＨであり、Ｒ９、Ｒ１０、Ｒ１１、及びＲ１２の各々は独立して、エチル基、メチル基、プロピル基、ブチル基、フェニル基、又はＨから選択される。
【００２７】
いくつかの態様では、ｘ、ｘ１、ｙ、及び／又はｙ１は独立して３以上であり、つまり、式（Ｉ）のポリエーテルアミンが２つ以上の［Ａ２−Ｏ］基、２つ以上の［Ａ３−Ｏ］基、２つ以上の［Ａ４−Ｏ］基、及び／又は２つ以上の［Ａ５−Ｏ］基を有し得る。いくつかの態様では、Ａ２は、エチレン、プロピレン、ブチレン、又はこれらの混合物から選択される。いくつかの態様では、Ａ３は、エチレン、プロピレン、ブチレン、又はその混合物から選択される。いくつかの態様では、Ａ４は、エチレン、プロピレン、ブチレン、又はその混合物から選択される。いくつかの態様では、Ａ５は、エチレン、プロピレン、ブチレン、又はその混合物から選択される。
【００２８】
同様に、式（ＩＩ）のポリエーテルアミンは、２つ以上の［Ａ７−Ｏ］基、及び／又は２つ以上の［Ａ８−Ｏ］基を有し得る。いくつかの態様では、Ａ７は、エチレン、プロピレン、ブチレン、又はこれらの混合物から選択される。いくつかの態様では、Ａ８は、エチレン、プロピレン、ブチレン、又はその混合物から選択される。
【００２９】
いくつかの態様では、［Ａ２−Ｏ］は、エチレンオキシド、プロピレンオキシド、ブチレンオキシド、又はこれらの混合物から選択される。いくつかの態様では、［Ａ３−Ｏ］は、エチレンオキシド、プロピレンオキシド、ブチレンオキシド、又はこれらの混合物から選択される。いくつかの態様では、［Ａ４−Ｏ］は、エチレンオキシド、プロピレンオキシド、ブチレンオキシド、又はこれらの混合物から選択される。いくつかの態様では、［Ａ５−Ｏ］は、エチレンオキシド、プロピレンオキシド、ブチレンオキシド、又はこれらの混合物から選択される。いくつかの態様では、［Ａ７−Ｏ］は、エチレンオキシド、プロピレンオキシド、ブチレンオキシド、又はこれらの混合物から選択される。いくつかの態様では、［Ａ８−Ｏ］は、エチレンオキシド、プロピレンオキシド、ブチレンオキシド、又はこれらの混合物から選択される。
【００３０】
Ａ２、Ａ３、Ａ４、及び／又はＡ５が、エチレン、プロピレン、及び／又はブチレンの混合物である場合には、結果として生じるアルコキシレートは、ブロック様構造又はランダム構造を有し得る。Ａ７及び／又はＡ８が、エチレン、プロピレン、及び／又はブチレンの混合物である場合には、結果として生じるアルコキシレートは、ブロック様構造又はランダム構造を有し得る。
【００３１】
非限定的な例示のために、式（Ｉ）のポリエーテルアミン中でｘ＝７の場合には、ポリエーテルアミンは６つの［Ａ４−Ｏ］基を含む。Ａ４がエチレン基及びプロピレン基の混合物を含むならば、結果として生じるポリエーテルアミンは、エトキシ（ＥＯ）基及びプロポキシ（ＰＯ）基の混合物を含むであろう。これらの基は、ランダム構造（例えば、ＥＯ−ＥＯ−ＰＯ−ＥＯ−ＰＯ−ＰＯ）又はブロック様構造（ＥＯ−ＥＯ−ＥＯ−ＰＯ−ＰＯ−ＰＯ）で配列されていてもよい。この例示的な例では、等しい数の異なるアルコキシ基（ここでは、３つのＥＯ及び３つのＰＯ）があるが、異なる数の各アルコキシ基（例えば、５つのＥＯ及び１つのＰＯ）があってもよい。更に、ポリエーテルアミンがアルコキシ基をブロック様構造で含む場合には、ポリエーテルアミンは例示的な例（そこでは、３つのＥＯ基が一方のブロックを形成し、３つのＰＯ基がもう一方のブロックを形成する）に示されるように２つのブロックを含んでもよく、又はポリエーテルアミンは２つ以上のブロックを含んでもよい。上述の考察は、式（ＩＩ）のポリエーテルミンにも適用される。
【００３２】
いくつかの態様では、ポリエーテルアミンは、式（Ｉ）の化合物と式（ＩＩ）の化合物との混合物を含む。
【００３３】
典型的には、式（Ｉ）又は式（ＩＩ）のポリエーテルアミンは、約２９０〜約１０００グラム／モル、典型的には約３００〜約７００グラム／モル、更により典型的には約３００〜約４５０グラム／モルの重量平均分子量を有する。ポリマーの分子量は、重合反応は重量平均分子量により要約される分子量の分布を生じる点で、典型的な分子と異なる。本発明のポリエーテルアミンポリマーはしたがって、ある範囲の分子量にわたって分布する。分子量の差は主として、合成時に一緒に配列するモノマー単位の数の差に起因する。本発明のポリエーテルアミンポリマーに関しては、モノマー単位は、式（ＩＩＩ）の１，３−ジオールと反応して、アルコキシル化１，３−ジオールを形成し、次いでアミノ化されて、結果として生じるポリエーテルアミンポリマーを形成するアルキレンオキシドである。結果として生じるポリエーテルアミンポリマーは、アルキレンオキシド単位の配列により特徴付けられる。アルコキシル化反応は、アルキレンオキシドの配列の分布、したがって分子量の分布を生じる。アルコキシル化反応は、また、反応時に反応せず、かつ組成物中に留まる未反応アルキレンオキシドモノマー（「未反応モノマー」）を生じる。
【００３４】
いくつかの態様では、ポリエーテルアミンは、ポリエーテルアミン混合物の少なくとも９０重量％の式（Ｉ）のポリエーテルアミン、式（ＩＩ）のポリエーテルアミン、又はこれらの混合物を含むポリエーテルアミン混合物を含む。いくつかの態様では、ポリエーテルアミンは、ポリエーテルアミン混合物の少なくとも９５重量％の式（Ｉ）のポリエーテルアミン、式（ＩＩ）のポリエーテルアミン、又はこれらの混合物を含むポリエーテルアミン混合物を含む。
【００３５】
式（Ｉ）のポリエーテルアミン及び／又は式（ＩＩ）のポリエーテルアミンは、
ａ）式（ＩＩＩ）の１，３−ジオールとＣ２〜Ｃ１８アルキレンオキシドとを反応させて、アルコキシル化１，３−ジオールを形成し（ここで、１，３−ジオールとＣ２〜Ｃ１８アルキレンオキシドとのモル比は、約１：２〜約１：１０の範囲である）、
【００３６】
【化６】
0006396583.tif 000007
（式中、Ｒ１〜Ｒ６は独立して、Ｈ、アルキル、シクロアルキル、アリール、アルキルアリール、又はアリールアルキルから選択され、Ｒ１〜Ｒ６のうちの少なくとも１つは、Ｈとは異なる）続いて、
ｂ１）アルコキシル化１，３−ジオールをアンモニアによりアミノ化するか、又は
ｂ２）アルコキシル化１，３−ジオールを還元シアノエチル化するかのいずれかにより得られる。
【００３７】
いくつかの態様では、１，３−ジオールとＣ２〜Ｃ１８アルキレンオキシドとのモル比は、約１：３〜約１：８の範囲、より典型的には約１：４〜約１：６の範囲である。いくつかの態様では、Ｃ２〜Ｃ１８アルキレンオキシドは、エチレンオキシド、プロピレンオキシド、ブチレンオキシド、又はこれらの混合物から選択される。更なる態様では、Ｃ２〜Ｃ１８アルキレンオキシドは、プロピレンオキシドである。
【００３８】
いくつかの態様では、式（ＩＩＩ）の１，３−ジオールにおいて、Ｒ１、Ｒ２、Ｒ５、及びＲ６はＨであり、Ｒ３及びＲ４は、Ｃ１〜１６アルキル又はアリールである。更なる態様では、式（ＩＩＩ）の１，３−ジオールは、２−ブチル−２−エチル−１，３−プロパンジオール、２−メチル−２−プロピル−１，３−プロパンジオール、２−メチル−２−フェニル−１，３−プロパンジオール、２，２−ジメチル−１，３−プロパンジオール、２−エチル−１，３−ヘキサンジオール、又はこれらの混合物から選択される。
【００３９】
工程ａ）：アルコキシル化
式ＩＩＩの１，３−ジオールは、国際公開第１００２６０３０号、国際公開第１００２６０６６号、国際公開第０９１３８３８７号、国際公開第０９１５３１９３号、及び国際公開第１００１００７５号に記載されるように合成される。好適な１，３−ジオールは、２，２−ジメチル−１，３−プロパンジオール、２−ブチル−２−エチル−１，３−プロパンジオール、２−ペンチル−２−プロピル−１，３−プロパンジオール、２−（２−メチル）ブチル−２−プロピル−１，３−プロパンジオール、２，２，４−トリメチル−１，３−プロパンジオール、２，２−ジエチル−１，３−プロパンジオール、２−メチル−２−プロピル−１，３−プロパンジオール、２−エチル−１，３−ヘキサンジオール、２−フェニル−２−メチル−１，３−プロパンジオール、２−メチル−１，３−プロパンジオール、２−エチル−２−メチル−１，３プロパンジオール、２，２−ジブチルｌ−１，３−プロパンジオール、２，２−ジ（２−メチルプロピル）−１，３−プロパンジオール、２−イソプロピル−２−メチル−１，３−プロパンジオール、又はこれらの混合物を含む。いくつかの態様では、１，３−ジオールは、２−ブチル−２−エチル−１，３−プロパンジオール、２−メチル−２−プロピル−１，３−プロパンジオール、２−メチル−２−フェニル−１，３−プロパンジオール、又はこれらの混合物から選択される。典型的に使用される１，３−ジオールは、２−ブチル−２−エチル−１，３−プロパンジオール、２−メチル−２−プロピル−１，３−プロパンジオール、２−メチル−２−フェニル−１，３−プロパンジオールである。
【００４０】
アルコキシル化１，３−ジオールは、当該技術分野において既知の任意の数の一般的なアルコキシル化手順により、式ＩＩＩの１，３−ジオールとアルキレンオキシドと反応させることにより得ることができる。好適なアルキレンオキシドは、エチレンオキシド、プロピレンオキシド、ブチレンオキシド、ペンテンオキシド、ヘキセンオキシド、デセンオキシド、ドデセンオキシドなどのＣ２〜Ｃ１８アルキレンオキシドを含む。いくつかの態様では、Ｃ２〜Ｃ１８アルキレンオキシドは、エチレンオキシド、プロピレンオキシド、ブチレンオキシド、又はこれらの混合物から選択される。１，３−ジオールは、単一のアルキレンオキシド又は２つ以上の異なるアルキレンオキシドの組み合わせと反応させられてもよい。２つ以上の異なるアルキレンオキシドを用いる場合には、結果として生じるポリマーは、ブロック様構造又はランダム構造として得ることができる。
【００４１】
典型的には、アルコキシル化反応が行われる１，３−ジオールとＣ２〜Ｃ１８アルキレンオキシドとのモル比は、約１：２〜約１：１０、より典型的には約１：３〜約１：８、更により典型的には約１：４〜約１：６である。
【００４２】
アルコキシル化反応は、一般に触媒の存在下において水溶液中約７０℃〜約２００℃、典型的には約８０℃〜約１６０℃の反応温度で進行する。反応は、最大約１ＭＰａ又は最大約０．８ＭＰａ（約１０バール又は最大約８バール）の圧力で進行し得る。好適な触媒の例は、水酸化ナトリウム、水酸化カリウム及び水酸化カルシウムなどのアルカリ金属及びアルカリ土類金属水酸化物、アルカリ金属アルコキシド、特にナトリウムメトキシド、ナトリウムエトキシド及びカリウムｔｅｒｔ−ブトキシドなどのナトリウム及びカリウムＣ１〜Ｃ４−アルコキシド、水素化ナトリウム及び水素化カルシウムなどのアルカリ金属及びアルカリ土類金属水素化物、並びに炭酸ナトリウム及び炭酸カリウムなどのアルカリ金属炭酸塩である。いくつかの態様では、触媒は、アルカリ金属水酸化物、典型的には水酸化カリウム又は水酸化ナトリウムである。触媒の典型的な使用量は、１，３−ジオール及びアルキレンオキシドの合計量に基づき、約０．０５〜約１０重量％、特に約０．１〜約２重量％である。アルコキシル化反応時、触媒残渣などの特定の不純物、即ちポリマーの意図されない成分、が形成されることがある。
【００４３】
ｘ＋ｙ  Ｃ２〜Ｃ１８アルキレンオキシド及び／又はｘ１＋ｙ１  Ｃ２〜Ｃ１８アルキレンオキシドによるアルコキシル化は、式ＩＶ及び／又は式Ｖにより表されるような構造を生成する。
【００４４】
【化７】
0006396583.tif 000008
【００４５】
【化８】
0006396583.tif 000009
（式中、Ｒ１〜Ｒ１２は独立して、Ｈ、アルキル、シクロアルキル、アリール、アルキルアリール、又はアリールアルキルから選択され、
Ｒ１〜Ｒ６のうちの少なくとも１つ及びＲ７〜Ｒ１２のうちの少なくとも１つは、Ｈとは異なり、Ａ１〜Ａ９の各々は独立して、２〜１８個の炭素原子、典型的には２〜１０個の炭素原子、より典型的には２〜５個の炭素原子を有する線状又は分岐状アルキレンから選択され、ｘ＋ｙの合計は、約２〜約２００、典型的には約２〜約２０又は約３〜約２０、より典型的には約２〜約１０又は約２〜約５の範囲であり、ここで、ｘ≧１及びｙ≧１であり、ｘ１＋ｙ１の合計は、約２〜約２００、典型的には約２〜約２０又は約３〜約２０、より典型的には約２〜約１０又は約２〜約５の範囲であり、ここで、ｘ１≧１及びｙ１≧１である）。
【００４６】
工程ｂ）：アミノ化
アルコキシル化１，３−ジオールのアミノ化は、還元アミノ化又は還元シアノエチル化のいずれかの２つの異なる方法により行うことができ、式Ｉ又は式ＩＩにより表される構造を生成する。
【００４７】
【化９】
0006396583.tif 000010
【００４８】
【化１０】
0006396583.tif 000011
（式中、Ｒ１〜Ｒ１２の各々は独立して、Ｈ、アルキル、シクロアルキル、アリール、アルキルアリール、又はアリールアルキルから選択され、Ｒ１〜Ｒ６のうちの少なくとも１つ及びＲ７〜Ｒ１２のうちの少なくとも１つは、Ｈとは異なり、
Ａ１〜Ａ９の各々は独立して、２〜１８個の炭素原子、典型的には２〜１０個の炭素原子、より典型的には２〜５個の炭素原子を有する線状又は分岐状アルキレンから選択され、Ｚ１〜Ｚ４の各々は独立して、ＯＨ、ＣＨ２ＣＨ２ＣＨ２ＮＨ２、ＮＨ２、ＮＨＲ’、又はＮＲ’Ｒ”から選択され、アミノ化度は、５０％未満であり、式中、Ｒ’及びＲ”は独立して、２〜６個の炭素原子を有するアルキレンから選択され、ｘ＋ｙの合計は、約２〜約２００、典型的には約２〜約２０又は約３〜約２０、より典型的には約２〜約１０又は約２〜約５の範囲であり、ここで、ｘ≧１及びｙ≧１であり、ｘ１＋ｙ１の合計は、約２〜約２００、典型的には約２〜約２０又は約３〜約２０、より典型的には約２〜約１０又は約２〜約５の範囲であり、ここで、ｘ１≧１及びｙ１≧１である）。
【００４９】
工程ｂ１）：還元アミノ化
式Ｉ及び／又は式ＩＩのポリエーテルアミンは、水素及び触媒含有ニッケルの存在下で、アンモニアによりアルコキシル化１，３−ジオール混合物（式ＩＶ及び式Ｖ）を還元アミノ化することにより得ることができる。好適な触媒は、国際公開第２０１１／０６７１９９Ａ１号、国際公開第２０１１／０６７２００Ａ１号、及び欧州特許第０６９６５７２  Ｂ１号に記載されている。好ましい触媒は、担持された銅含有、ニッケル含有、及びコバルト含有触媒であり、ここで、触媒の触媒活性材料は、水素によるその還元前に、アルミニウム、銅、ニッケル、及びコバルトの酸素化合物、及びＳｎＯとして計算して酸素化合物の約０．２〜約５．０重量％の範囲のスズを含む。他の好適な触媒は、担持された銅含有、ニッケル含有、及びコバルト含有触媒であり、ここで、触媒の触媒活性材料は、水素によるその還元前には、アルミニウム、銅、ニッケル、コバルト、及びスズの酸素化合物、及びそれぞれＹ２Ｏ３、Ｌａ２Ｏ３、Ｃｅ２Ｏ３、及びＨｆ２Ｏ３として計算して酸素化合物の約０．２〜約５．０重量％の範囲のイットリウム、ランタン、セリウム、及び／又はハフニウムを含む。別の好適な触媒は、ジルコニウム、銅、及びニッケル触媒であり、ここで、触媒活性組成物は、ＺｒＯ２として計算して約２０〜約８５重量％の酸素含有ジルコニウム化合物、ＣｕＯとして計算して酸素含有化合物の約１〜約３０重量％の銅、ＮｉＯとして計算して酸素含有化合物の約３０〜約７０重量％のニッケル、それぞれＡｌ２Ｏ３及びＭｎＯ２として計算して酸素含有化合物の約０．１〜約５重量％のアルミニウム及び／又はマンガンを含む。
【００５０】
還元アミノ化工程に対しては、担持並びに非担持触媒を使用することができる。担持触媒は、例えば、触媒組成物の金属成分を、限定ではないが、既知の形態のアルミナ、シリカ、木炭、カーボン、グラファイト、粘土、モルデナイトを含む、当業者に既知の担持材料上に、分子ふるいを含む当該技術分野で周知の手法を用いて、堆積して、担持触媒をもたらすことによって得られる。触媒を担持するとき、触媒の担体粒子は、任意の幾何学的形状、例えば、規則的又は不規則的バージョンの球、錠剤、又は円筒を有してもよい。プロセスは、連続又は不連続方式で、例えばオートクレーブ、管式反応器、又は固定床反応器中で行うことができる。反応器への供給は上方流又は下方流であってよく、反応器中でプラグフローを最適化する反応器中の設計形体を採用してよい。
【００５１】
工程ｂ２）：還元シアノエチル化
式（Ｉ）及び／又は（ＩＩ）のポリエーテルアミンは、アルコキシル化１，３−ジオール混合物（式ＩＶ及びＶ）の還元シアノエチル化により得ることができる。還元シアノエチル化は、塩基の存在下で式（Ｉ）及び／又は（ＩＩ）のポリエーテルアミンをアクリロニトリルと反応させ、続いて水素及び触媒により水素化することにより行われる。
【００５２】
使用される塩基は、典型的には、アルカリ性水酸化物及び置換水酸化アンモニウムである。好ましくは、テトラキス（２−ヒドロキシエチル）水酸化アンモニウムが塩基として使用される。
【００５３】
対応するアミンへのニトリル官能の水素化のための触媒として、特に、活性成分として周期表の第８遷移族のうちの１つ以上の元素（Ｆｅ、Ｃｏ、Ｎｉ、Ｒｕ、Ｒｈ、Ｐｄ、Ｏｓ、Ｉｒ、Ｐｔ）、好ましくはＦｅ、Ｃｏ、Ｎｉ、Ｒｕ、又はＲｈ、特に好ましくはＣｏ又はＮｉ、特にＣｏを含む触媒を使用することが可能である。更なる好ましい活性成分はＣｕである。
【００５４】
上述の触媒は、プロモーター、例えばクロム、鉄、コバルト、マンガン、モリブデン、チタン、スズ、アルカリ金属族の金属、アルカリ土類金属族の金属、及び／又はリンにより、通常の方法でドープすることができる。
【００５５】
触媒として、水素化活性金属と更なる成分（好ましくはＡｌ）の合金を浸出（活性）することにより得られる骨格触媒（Ｒａｎｅｙ（登録商標）タイプ、以後Ｒａｎｅｙ触媒とも称される）を使用することが選好され得る。Ｒａｎｅｙニッケル触媒又はＲａｎｅｙコバルト触媒を使用することが選好される。
【００５６】
更に、担持Ｐｄ又はＰｔ触媒は、好ましくは、触媒として使用される。好ましい担持材料は、活性炭、Ａｌ２Ｏ３、ＴｉＯ２、ＺｒＯ２、及びＳｉＯ２である。非常に好ましい実施形態では、触媒前駆体の還元により生成された触媒が、本発明のプロセスに使用される。
【００５７】
触媒前駆体は、１つ以上の触媒活性成分、任意に、プロモーター、及び任意に担持材料を含む活性組成物を含む。触媒活性成分は、上述の金属の酸素含有化合物、例えば金属酸化物又はその水酸化物、例えばＣｏＯ、ＮｉＯ、ＣｕＯ、及び／又はこれらの混合酸化物である。本特許出願の目的のために、用語「触媒活性成分」は、上述の酸素含有金属化合物に使用されるが、これらの酸素含有化合物自体が触媒活性であることを示唆することを意図しない。触媒活性成分は、一般的に、還元の後にのみ本発明の反応において触媒活性を示す。
【００５８】
欧州特許出願第０６３６４０９号に開示されている、水素による還元前に、ＣｏＯとして計算して５５〜９８重量％のＣｏ、Ｈ３ＰＯ４として計算して０．２〜１５重量％のリン、ＭｎＯ２として計算して０．２〜１５重量％のマンガン、及びＭ２Ｏ（Ｍ＝アルカリ金属）として計算して０．２〜５．０重量％のアルカリ金属を含む酸化物混合物、又は欧州特許出願第０７４２０４５号に開示されており、水素による還元前に、ＣｏＯとして計算して５５〜９８重量％のＣｏ、Ｈ３ＰＯ４として計算して０．２〜１５重量％のリン、ＭｎＯ２として計算して０．２〜１５重量％のマンガン、及びＭ２Ｏ（Ｍ＝アルカリ金属）として計算して０．０５〜５重量％のアルカリ金属を含む酸化物混合物を含む酸化物混合物、欧州特許出願第６９６５７２号に開示されており、水素による還元前に、２０〜８５重量％のＺｒＯ２、ＣｕＯとして計算して酸素含有化合物の１〜３０重量％の銅、ＮｉＯとして計算して酸素含有化合物の３０〜７０重量％のニッケル、ＭｏＯ３として計算して酸素含有化合物の０．１〜５重量％のモリブデン、及びＡｌ２Ｏ３若しくはＭｎＯ２として計算して酸素含有化合物の０〜１０重量％のアルミニウム及び／若しくはマンガンを含む酸化物混合物（例えば３１．５重量％のＺｒＯ２、５０重量％のＮｉＯ、１７重量％のＣｕＯ、及び１．５重量％のＭｏＯ３を含む組成物）、又は欧州特許出願第９６３  ９７５号に開示されており、水素による還元前に、２２〜４０重量％のＺｒＯ２、ＣｕＯとして計算して酸素含有化合物の１〜３０重量％の銅、ＮｉＯとして計算して酸素含有化合物の１５〜５０重量％のニッケル（Ｎｉ：Ｃｕのモル比が１より大きい）、ＣｏＯとして計算して酸素含有化合物の１５〜５０重量％のコバルト、Ａｌ２Ｏ３若しくはＭｎＯ２として計算して酸素含有化合物の０〜１０重量％のアルミニウム及び／若しくはマンガン、及び酸素を含有しない化合物のモリブデンを含む酸化物混合物（例えばＺｒ０２として計算して３３重量％のＺｒ、ＮｉＯとして計算して２８重量％のＮｉ、ＣｕＯとして計算して１１重量％のＣｕ、及びＣｏＯとして計算して２８重量％のＣｏの組成を有する触媒）などの触媒前駆体が特に選好される。
【００５９】
プロセスは、連続又は不連続方式で、例えばオートクレーブ、管式反応器、又は固定床反応器中で行うことができる。反応器の設計も厳密に重要ではない。反応器への供給は上方流又は下方流であってよく、反応器中でプラグフローを最適化する反応器中の設計形体を採用してよい。
【００６０】
アミノ化度は５０％未満である。アミノ化度は、約１０％〜５０％未満、約２０％〜５０％未満、又は約３０％〜約５０％未満であり得る。
【００６１】
本明細書において別途記載のない限り、アミノ化度は、全アミン価（ＡＺ）を全アセチル化可能価（ＡＣ）及び三級アミン価（ｔｅｒｔ．ＡＺ）の和で割り、１００を掛けたもの（全ＡＺ：（ＡＣ＋ｔｅｒｔ．ＡＺ））×１００）から計算される。全アミン価（ＡＺ）はＤＩＮ  １６９４５に従って求められる。全アセチル化可能価（ＡＣ）はＤＩＮ  ５３２４０に従って求められる。二級アミン及び三級アミンはＡＳＴＭ  Ｄ２０７４−０７に従って求められる。
【００６２】
ヒドロキシル価は（全アセチル化可能価＋三級アミン価）−全アミン価から計算される。
【００６３】
本発明のポリエーテルアミンは、汚れた素材からしみ、特に油を除去するのに有効である。本発明のアミン末端ポリアルキレングリコールを含有する洗浄組成物はまた、コーヒ、茶、ワインなどの親水性の漂白可能なしみ、又は微粒子に対して従来のアミン含有洗浄組成物で見られる洗浄面のマイナスを示さない。加えて、従来のアミン含有洗浄組成物とは異なり、本発明のアミン末端ポリアルキレングリコールは、白色布地上の白色度のマイナスに寄与しない。
【００６４】
本発明のポリエーテルアミンは、例えばクエン酸、乳酸、硫酸、メタンスルホン酸、塩化水素、例えば塩化水素水溶液、リン酸、又はこれらの混合物などの酸と一緒にポリエーテルアミンの水系、含水、又は無水の溶液、エマルション、ゲル、又はペーストの形で使用され得る。あるいは、酸は、アルキルベンゼンスルホン酸、アルキルスルホン酸，硫酸のモノアルキルエステル、硫酸のモノアルキルエトキシエステル、脂肪酸、アルキルエトキシカルボン酸など、又はこれらの混合物などの界面活性剤により代表されてもよい。適用可能又は測定可能な場合は、溶液又はエマルションの好ましいｐＨは、ｐＨ３〜ｐＨ１１、又はｐＨ６〜ｐＨ９．５、更により好ましくはｐＨ７〜ｐＨ８．５の範囲である。
【００６５】
本発明のポリエーテルアミンを含有する洗浄組成物の更なる利点は、例えば油しみの前処理と続いての冷水洗浄により、冷水中で油しみを除去する能力である。理論により制約されるものでないが、冷水洗浄溶液は、グリースを硬化又は固化する効果を有し、特に布地上でのグリースの除去の抵抗性を大きくすると考えられる。本発明のポリエーテルアミンを含有する洗浄組成物は、前処理方法の一部として使用し、続いて冷水洗浄を行うと驚くほど有効である。
【００６６】
界面活性剤
本洗浄組成物は１つ以上の界面活性剤を含む。本洗浄組成物は、本組成物の約１重量％〜約７０重量％の界面活性剤を含んでよい。本洗浄組成物は、本組成物の約２重量％〜約６０重量％の界面活性剤を含んでよい。本洗浄組成物は、本組成物の約５重量％〜約３０重量％の界面活性剤を含んでよい。界面活性剤は、アニオン性界面活性剤、非イオン性界面活性剤、カチオン性界面活性剤、双性界面活性剤、両性界面活性剤、両性電解質界面活性剤、及びこれらの混合物からなる群から選択され得る。界面活性剤は、汚れた素材に洗浄、しみ除去、又は洗濯効果をもたらす、任意の界面活性剤又は界面活性剤の混合物を包含する。洗浄性界面活性剤であってよい。
【００６７】
アニオン性界面活性剤
洗浄粒子組成物は、アニオン性界面活性剤を含み得る。洗浄組成物は、アニオン性界面活性剤から本質的になるか、又は更にはそれからなる。
【００６８】
好適なアニオン性界面活性剤の具体的な非限定的な例としては、任意の従来のアニオン性界面活性剤が挙げられる。これは、例えばアルコキシル化及び／若しくは非アルコキシル化アルキル硫酸塩材料用の硫酸塩洗浄性界面活性剤、並びに／又はスルホン系洗浄性界面活性剤、例えばアルキルベンゼンスルホン酸塩を含み得る。
【００６９】
アルコキシル化アルキル硫酸塩材料は、アルキルエーテル硫酸塩又はアルキルポリエトキシレート硫酸塩としても既知のエトキシル化アルキル硫酸塩界面活性剤を含む。エトキシル化アルキル硫酸塩の例としては、水溶性塩、特に約８個〜約３０個の炭素原子を含有するアルキル基及びスルホン酸基並びにその塩を分子構造の中に有する有機硫黄反応生成物のアルカリ金属塩、アンモニウム塩、及びアルキオールアンモニウム塩が挙げられる。用語「アルキル」には、アシル基のアルキル部分が含まれる。いくつかの例では、アルキル基は、約１５個の炭素原子〜約３０個の炭素原子を含有する。他の例では、アルキルエーテル硫酸塩界面活性剤は、アルキルエーテル硫酸塩の混合物であってよく、該混合物は、約１２〜３０個の炭素原子の範囲内の平均（算術平均）炭素鎖長、いくつかの例では約２５個の炭素原子の平均炭素鎖長、及び約１モル〜４モルのエチレンオキシドの平均（算術平均）エトキシル化度、いくつかの例では１．８モルのエチレンオキシドの平均（算術平均）エトキシル化度を有する。更なる例では、アルキルエーテル硫酸塩界面活性剤は、約１０個の炭素原子〜約１８個の炭素原子の炭素鎖長、及び約１〜約６モルのエチレンオキシドのエトキシル化度を有してもよい。なお更なる例では、アルキルエーテル硫酸塩界面活性剤はピークのあるエトキシル化分布を含んでもよい。
【００７０】
非アルコキシル化アルキル硫酸塩はまた、開示の洗浄組成物に添加され、アニオン性界面活性剤成分として使用されてもよい。非アルコキシル化、例えば非エトキシル化アルキル硫酸塩界面活性剤の例としては、高級Ｃ８〜Ｃ２０脂肪アルコールの硫酸化により生成されるものが挙げられる。いくつかの例では、第一級アルキル硫酸塩界面活性剤は、ＲＯＳＯ３−Ｍ＋という一般式を有し、式中、Ｒは典型的には、直鎖状のＣ８〜Ｃ２０ヒドロカルビル基であり（この基は、直鎖であっても、分岐鎖であってもよい）、Ｍは水溶化カチオンである。いくつかの例では、ＲはＣ１０〜Ｃ１５アルキルであり、Ｍはアルカリ金属である。他の例では、ＲはＣ１２〜Ｃ１４アルキルであり、Ｍはナトリウムである。
【００７１】
他の有用なアニオン性界面活性剤は、アルキル基が約９〜約１５個の炭素原子を直鎖（線状）又は分岐鎖の配置で含有するアルキルベンゼンスルホン酸塩のアルカリ金属塩を含むことができる。いくつかの例では、アルキル基は直鎖である。そのような直鎖状アルキルベンゼンスルホン酸塩は「ＬＡＳ」として既知である。他の例では、直鎖状アルキルベンゼンスルホン酸塩は、アルキル基中の約１１〜１４の平均炭素原子数を有する場合がある。具体的な例では、線状直鎖アルキルベンゼンスルホン酸塩は、アルキル基中約１１．８個の炭素原子の平均炭素原子数を有し、Ｃ１１．８  ＬＡＳと略称される場合がある。
【００７２】
好適なアルキルベンゼンスルホン酸塩（ＬＡＳ）は、市販の線状アルキルベンゼン（ＬＡＢ）をスルホン化することにより得ることができ、好適なＬＡＢは、商品名Ｉｓｏｃｈｅｍ（登録商標）としてＳａｓｏｌにより供給されているもの又は商品名Ｐｅｔｒｅｌａｂ（登録商標）としてＰｅｔｒｅｓａにより供給されているものなどの低２−フェニルＬＡＢを含み、他の好適なＬＡＢは、商品名Ｈｙｂｌｅｎｅ（登録商標）としてＳａｓｏｌにより供給されているものなどの高２−フェニルＬＡＢを含む。好適なアニオン性洗浄性界面活性剤は、ＤＥＴＡＬにより触媒されるプロセスによって得られるアルキルベンゼンスルホン酸塩であるが、ＨＦなどの他の合成経路が好適な場合もある。ＬＡＳのマグネシウム塩を使用することができる。
【００７３】
洗浄性界面活性剤は、中鎖分岐状洗浄性界面活性剤、例えば、中鎖分岐状アルキル硫酸塩及び／又は中鎖分岐状アルキルベンゼンスルホン酸塩などの中鎖分岐状アニオン性洗浄性界面活性剤であってよい。
【００７４】
本明細書で有用な他のアニオン性界面活性剤は、以下の水溶性塩である：約８〜約２４個（いくつかの例では、約１２〜１８個）の炭素原子を含有するパラフィンスルホン酸塩及び二級アルカンスルホン酸塩、アルキルグリセリルエーテルスルホン酸塩、特にＣ８〜１８アルコールのエーテル（例えば、獣脂及びココナッツオイル由来のもの）。アルキルベンゼンスルホン酸塩と上述のパラフィンスルホン酸塩、二級アルカンスルホン酸塩、及びアルキルグリセリルエーテルスルホン酸塩との混合物も有用である。更なる好適なアニオン性界面活性剤は、メチルエステルスルホン酸塩及びアルキルエーテルカルボキシレートを含む。
【００７５】
アニオン性界面活性剤は酸形で存在してもよく、及び中和されて界面活性剤塩を形成してもよい。典型的な中和剤としては、水酸化物、例えばＮａＯＨ又はＫＯＨなどの金属対イオン塩基が挙げられる。酸形のアニオン性界面活性剤の更なる好適な中和剤としては、アンモニア、アミン、又はアルカノールアミンが挙げられる。アルカノールアミンの非限定的な例は、モノエタノールアミン、ジエタノールアミン、トリエタノールアミン、及び当該技術分野において既知の他の線状又は分岐状アルカノールアミンを含み、好適なアルカノールアミンは、２−アミノ−１−プロパノール、１−アミノプロパノール、モノイソプロパノールアミン、又は１−アミノ−３−プロパノールを含む。アミン中和は完全又は部分的に行われてもよく、例えばアニオン性界面活性剤の一部はナトリウム又はカリウムにより中和されてもよく、及びアニオン性界面活性剤の一部はアミン又はアルカノールアミンにより中和されてもよい。
【００７６】
非イオン性界面活性剤
洗浄組成物は、非イオン性界面活性剤を含み得る。洗浄組成物は、洗浄組成物の約０．１重量％〜約５０重量％の非イオン性界面活性剤を含み得る。洗浄組成物は、洗浄組成物の約０．１重量％〜約２５重量％、又は０．１重量％〜約１５重量％の非イオン性界面活性剤を含み得る。洗浄組成物は、洗浄組成物の約０．３重量％〜約１０重量％の非イオン性界面活性剤を含み得る。
【００７７】
本明細書で有用な、好適な非イオン性界面活性剤は、任意の従来の非イオン性界面活性剤を含んでもよい。これらには、例えば、アルコキシル化脂肪族アルコール、及びアミンオキシド界面活性剤が含まれ得る。いくつかの例では、洗剤組成物は、エトキシル化非イオン性界面活性剤を含有し得る。非イオン性界面活性剤は、式Ｒ（ＯＣ２Ｈ４）ｎＯＨ（式中、Ｒは、約８〜約１５個の炭素原子を含有する脂肪族炭化水素ラジカル及びアルキル基が約８〜約１２個の炭素原子を含有するアルキルフェニルラジカルからなる群から選択され、ｎの平均値は、約５〜約１５である）のエトキシル化アルコール及びエトキシル化アルキルフェノールから選択することができる。非イオン性界面活性剤は、アルコール中に平均約２４個の炭素原子及びアルコール１モル当たりエチレンオキシド約９モルの平均エトキシル化度を有するエトキシル化アルコールから選択することができる。
【００７８】
本明細書で有用な、非イオン性界面活性剤の他の非限定的な例としては、Ｃ８〜Ｃ１８アルキルエトキシレート、（Ｓｈｅｌｌから販売されるＮＥＯＤＯＬ（登録商標）非イオン性界面活性剤など）、アルコキシレート単位がエチレンオキシ単位、プロピレンオキシ単位、又はこれらの混合物であり得るＣ６〜Ｃ１２アルキルフェノールアルコキシレート、エチレンオキシド／プロピレンオキシドブロックポリマーとのＣ１２〜Ｃ１８アルコール及びＣ６〜Ｃ１２アルキルフェノール縮合物（ＢＡＳＦから販売されるＰｌｕｒｏｎｉｃ（登録商標）など）、Ｃ１４〜Ｃ２２中鎖分岐状アルコール（ＢＡ）、Ｃ１４〜Ｃ２２中鎖分岐状アルキルアルコキシレート（ＢＡＥｘ、式中、ｘは１〜３０である）、アルキル多糖類、具体的に、アルキルポリグリコシド、ポリヒドロキシ脂肪酸アミド、及びエーテル末端保護ポリ（オキシアルキル化）アルコール界面活性剤が挙げられる。
【００７９】
好適な非イオン性洗浄性界面活性剤は、また、アルキルポリグルコシド及びアルキルアルコキシル化アルコールを含む。好適な非イオン性界面活性剤は、また、商品名Ｌｕｔｅｎｓｏｌ（登録商標）としてＢＡＳＦから販売されているものを含む。
【００８０】
非イオン性界面活性剤は、Ｃ８〜１８アルキルアルコキシル化アルコール、例えばＣ８〜１８アルキルエトキシル化アルコールなどのアルキルアルコキシル化アルコールから選択することができる。アルキルアルコキシル化アルコールは、約１〜約５０、又は約１〜約３０、又は約１〜約２０、又は約１〜約１０、又は約１〜約７、又は約１〜約５、又は約３〜約７の平均アルコキシル化度を有し得る。アルキルアルコキシル化アルコールは、線状又は分岐状、置換又は非置換であり得る。
【００８１】
カチオン性界面活性剤
洗浄組成物は、カチオン性界面活性剤を含み得る。洗浄組成物は、洗浄組成物の約０．１重量％〜約１０重量％、又は約０．１重量％〜約７重量％、又は約０．１重量％〜約５重量％、又は約１重量％〜約４重量％のカチオン性界面活性剤を含み得る。本発明の洗浄組成物は、カチオン性界面活性剤、及びｐＨ７未満又はｐＨ６未満でカチオン性になる界面活性剤を、実質的に含まない場合がある。
【００８２】
カチオン性界面活性剤の非限定的な例としては、四級アンモニウム界面活性剤が挙げられ、これは最高２６個の炭素原子を有することができ、アルコキシル化四級アンモニウム（ＡＱＡ）界面活性剤、ジメチルヒドロキシエチル四級アンモニウム、ジメチルヒドロキシエチルラウリルアンモニウムクロリド；ポリアミンカチオン性界面活性剤、カチオン性エステル界面活性剤、及びアミノ界面活性剤、例えばアミドプロピルジメチルアミン（ＡＰＡ）を含む。
【００８３】
好適なカチオン性洗浄性界面活性剤としては、また、アルキルピリジニウム化合物、アルキル四級アンモニウム化合物、アルキル四級ホスホニウム化合物、アルキル三級スルホニウム化合物、及びこれらの混合物も挙げられる。
【００８４】
好適カチオン性浄性界面活性剤は、下記の一般式を有する四級アンモニウム化合物である。
（Ｒ）（Ｒ１）（Ｒ２）（Ｒ３）Ｎ＋Ｘ−
（式中、Ｒは線状又は分岐状、置換又は非置換の、Ｃ６〜１８アルキル又はアルケニル部分であり、Ｒ１及びＲ２は独立して、メチル又はエチル部分から選択され、Ｒ３は、ヒドロキシル、ヒドロキシメチル、又はヒドロキシエチル部分であり、Ｘは、電気的中性を提供するアニオンであり、好適なアニオンとしては、例えば、クロリドといったハロゲン化物、硫酸塩、及びスルホン酸塩を含む）好適なカチオン性洗浄性界面活性剤は、モノ−Ｃ６〜１８アルキルモノ−ヒドロキシエチルジ−メチル四級アンモニウムクロリドである。非常に好適なカチオン性洗浄性界面活性剤は、モノ−Ｃ８〜１０アルキルモノ−ヒドロキシエチルジ−メチル四級アンモニウムクロリド、モノ−Ｃ１０〜１２アルキルモノ−ヒドロキシエチルジ−メチル四級アンモニウムクロリド、及びモノ−Ｃ１０アルキルモノ−ヒドロキシエチルジ−メチル四級アンモニウムクロリドである。
【００８５】
双性イオン界面活性剤
洗浄組成物は、双性イオン界面活性剤を含み得る。双性イオン界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双性イオン界面活性剤の好適な例としてはベタインが挙げられ、アルキルジメチルベタイン及びココジメチルアミドプロピルベタイン、Ｃ８〜Ｃ１８（例えば、Ｃ１２〜Ｃ１８）アミンオキシド、並びに、アルキル基がＣ８〜Ｃ１８であり得るＮ−アルキル−Ｎ，Ｎ−ジメチルアミノ−１−プロパンスルホン酸塩などのスルホ及びヒドロキシベタインを含む。
【００８６】
両性界面活性剤
洗浄組成物は、両性界面活性剤を含み得る。両性界面活性剤の例としては、二級又は三級アミンの脂肪族誘導体、又は脂肪族ラジカルが直鎖又は分岐鎖であってもよく、かつ脂肪族置換基のうちの１つが少なくとも約８個の炭素原子、又は約８〜約１８個の炭素原子を含み、脂肪族置換基のうちの少なくとも１つがアニオン性水溶性基、例えばカルボキシ、スルホン酸塩、硫酸塩を含むヘテロ環式二級及び三級アミンの脂肪族誘導体が挙げられる。この定義に入る化合物の例は、ナトリウム３−（ドデシルアミノ）プロピオネート、ナトリウム３−（ドデシルアミノ）プロパン１−スルホン酸塩、ナトリウム２−（ドデシルアミノ）エチル硫酸塩、ナトリウム２−（ジメチルアミノ）オクタデカノエート、二ナトリウム３−（Ｎ−カルボキシメチルドデシルアミノ）プロパン１−スルホン酸塩、ジナトリウムオクタデシル−イミノジアセテート、ナトリウム１−カルボキシメチル２−ウンデシルイミダゾール、及びナトリウムＮ，Ｎ−ビス（２−ヒドロキシエチル）−２−スルファト−３−ドデコキシプロピルアミンである。好適な両性界面活性剤としては、また、サルコシネート、グリコシネート、タウリネート、及びこれらの混合物も挙げられる。
【００８７】
分岐状界面活性剤
洗浄組成物は、分岐状界面活性剤を含み得る。好適な分岐状界面活性剤は、分岐状硫酸塩又は分岐状スルホン酸塩界面活性剤、例えば、分岐状アルキル硫酸塩、分岐状アルキルアルコキシル化硫酸塩、及び分岐状アルキルベンゼンスルホン酸塩から選択され、１つ以上のランダムアルキル分岐、例えば、Ｃ１〜４アルキル基、典型的にはメチル及び／又はエチル基を含む、アニオン性分岐状界面活性剤が挙げられる。
【００８８】
分岐洗浄性界面活性剤は、中鎖分岐状洗浄性界面活性剤、例えば、中鎖分岐状アルキル硫酸塩及び／又は中鎖分岐状アルキルベンゼンスルホン酸塩などの中鎖分岐状アニオン性洗浄性界面活性剤であり得る。
【００８９】
分岐状界面活性剤は、以下の式のより長いアルキル鎖、中鎖分岐状界面活性剤化合物を含む。
Ａｂ−Ｘ−Ｂ
［式中、
（ａ）Ａｂは、疎水性Ｃ９〜Ｃ２２（部分における総炭素数）、典型的には約Ｃ１２〜約Ｃ１８の中鎖分岐アルキル部分であって、（１）最長線状炭素鎖が８〜２１個の炭素原子の範囲内で−Ｘ−Ｂ部分に結合している、（２）１つ以上のＣ１〜Ｃ３アルキル部分がこの最長直鎖炭素鎖から分岐している、（３）分岐しているアルキル部分のうちの少なくとも１つが、第２位の炭素（−Ｘ−Ｂ部分に結合している炭素第１位から数えて）から、第ω位−２の炭素（末端炭素から２を引いた位置の炭素、即ち、最長の線状炭素鎖の端から３番目の炭素）までの範囲内の位置で、最長の線状炭素鎖の１つの炭素に直接結合している、並びに（４）界面活性剤組成物において、上記式のＡｂ−Ｘ部分の炭素原子の平均合計数が１４．５超〜約１７．５（典型的には約１５〜約１７）の範囲内である、中鎖分岐アルキル部分であり、
ｂ）Ｂは、硫酸塩、スルホン酸塩、アミンオキシド、ポリオキシアルキレン（ポリオキシエチレン及びポリオキシプロピレンなど）、アルコキシル化硫酸塩、ポリヒドロキシ部分、リン酸エステル、グリセロールスルホン酸塩、ポリグルコネート、ポリリン酸エステル、ホスホネート、スルホスクシネート、スルホサッカミネート、ポリアルコキシル化カルボキシレート、グルカミド、タウリネート、サルコシネート、グリシネート、イセチオネート、ジアルカノールアミド、モノアルカノールアミド、モノアルカノールアミド硫酸塩、ジグリコールアミド、ジグリコールアミド硫酸塩、グリセロールエステル、グリセロールエステル硫酸塩、グリセロールエーテル、グリセロールエーテル硫酸塩、ポリグリセロールエーテル、ポリグリセロールエーテル硫酸塩、ソルビタンエステル、ポリアルコキシル化ソルビタンエステル、アンモニオアルカンスルホン酸塩、アミドプロピルベタイン、アルキル化四級アンモニウム化合物、アルキル化／ポリヒドロキシアルキル化四級アンモニウム化合物、アルキル化／ポリヒドロキシル化オキシプロピル四級アンモニウム化合物、イミダゾリン、２−イル−スクシネート、スルホン化アルキルエステル、及びスルホン化脂肪酸から選択される親水性部分であり（複数の疎水部分がＢに結合して（例えば、（Ａｂ−Ｘ）ｚ−Ｂの場合のように）ジメチル四級アンモニウム化合物をもたらす場合があることに注意されたい）、かつ
（ｃ）Ｘは、−ＣＨ２−及び−Ｃ（Ｏ）−から選択される。］
【００９０】
一般的に上式のＡｂ部分は、いかなる四級置換炭素原子（即ち、４個の炭素原子が１個の炭素原子に直接結合されている）も有さない。どの親水性部分（Ｂ）を選択したかに依って、得られる界面活性剤は、アニオン性、非イオン性、陽イオン性、双性イオン性、両性、又は両性電解質であってもよい。Ｂは、硫酸塩であってよく、結果として生じる界面活性剤はアニオン性であってよい。
【００９１】
分岐界面活性剤は、上記式のより長いアルキル鎖の、中鎖分岐界面活性剤化合物を含んでよく、式中、Ａｂ部分は、下記式を有する分岐一級アルキル部分である。
【００９２】
【化１１】
0006396583.tif 000012
［式中、分岐一級アルキル部分（Ｒ、Ｒ１、及びＲ２分岐を含む）の炭素原子総数は、１３〜１９であり、Ｒ、Ｒ１、及びＲ２は、各々独立して、水素及びＣ１〜Ｃ３アルキル（典型的にメチル）から選択されるが、但し、Ｒ、Ｒ１、及びＲ２が全て水素であることはなく、かつ、ｚが０であるとき、少なくともＲ又はＲ１は水素ではなく、ｗは、０〜１３の整数であり、ｘは、０〜１３の整数であり、ｙは、０〜１３の整数であり、ｚは、０〜１３の整数であり、ｗ＋ｘ＋ｙ＋ｚは、７〜１３である。］
【００９３】
分岐界面活性剤は、上記式のより長いアルキル鎖の、中鎖分岐界面活性剤化合物を含んでよく、式中、Ａｂ部分は、
【００９４】
【化１２】
0006396583.tif 000013
から選択される式を有する分岐一級アルキル部分、又はこれらの混合物である。（式中、ａ、ｂ、ｄ、及びｅは整数であり、ａ＋ｂは１０〜１６であり、ｄ＋ｅは８〜１４であり、更に
ａ＋ｂ＝１０の場合、ａは２〜９の整数であり、ｂは１〜８の整数であり、
ａ＋ｂ＝１１の場合、ａは２〜１０の整数であり、ｂは１〜９の整数であり、
ａ＋ｂ＝１２の場合、ａは２〜１１の整数であり、ｂは１〜１０の整数であり、
ａ＋ｂ＝１３の場合、ａは２〜１２の整数であり、ｂは１〜１１の整数であり、
ａ＋ｂ＝１４の場合、ａは２〜１３の整数であり、ｂは１〜１２の整数であり、
ａ＋ｂ＝１５の場合、ａは２〜１４の整数であり、ｂは１〜１３の整数であり、
ａ＋ｂ＝１６の場合、ａは２〜１５の整数であり、ｂは１〜１４の整数であり、
ｄ＋ｅ＝８の場合、ｄは２〜７の整数であり、ｅは１〜６の整数であり、
ｄ＋ｅ＝９の場合、ｄは２〜８の整数であり、ｅは１〜７の整数であり、
ｄ＋ｅ＝１０の場合、ｄは２〜９の整数であり、ｅは１〜８の整数であり、
ｄ＋ｅ＝１１の場合、ｄは２〜１０の整数であり、ｅは１〜９の整数であり、
ｄ＋ｅ＝１２の整数であり、ｄは２〜１１の整数であり、ｅは１〜１０の整数であり、
ｄ＋ｅ＝１３の場合、ｄは２〜１２の整数であり、ｅは１〜１１の整数であり、
ｄ＋ｅ＝１４の場合、ｄは２〜１３の整数であり、ｅは１〜１２である）。
【００９５】
上述の中鎖分岐界面活性剤化合物において、特定の分岐点（例えば、上記式中のＲ、Ｒ１及び／又はＲ２部分の鎖に沿った場所）が、界面活性剤の主鎖に沿った他の分岐点より好ましい。以下の式は、モノ−メチル分岐状アルキルＡｂ部分に関して、中鎖分岐範囲（即ち、分岐点が生じるところ）、好ましい中鎖分岐範囲、及びより好ましい中鎖分岐範囲を示す。
【００９６】
【化１３】
0006396583.tif 000014
【００９７】
モノ−メチル置換界面活性剤では、これらの範囲は、鎖の２つの末端炭素原子及び−Ｘ−Ｂ基に直接隣接した炭素原子を除外する。
【００９８】
以下の式は、ジメチル置換アルキルＡｂ部分の中鎖分岐範囲、好ましい中鎖分岐範囲、及びより好ましい中鎖分岐範囲を示す。
【００９９】
【化１４】
0006396583.tif 000015
【０１００】
分岐状アニオン性界面活性剤は、分岐状修飾アルキルベンゼンスルホン酸塩（ＭＬＡＳ）を含み得る。
【０１０１】
分岐状アニオン性界面活性剤は、疎水性物鎖に沿ってランダムに配置されたメチル分岐を含む、Ｃ１２／１３のアルコール系界面活性剤、例えば、Ｓａｓｏｌから入手可能なＳａｆｏｌ（登録商標）、Ｍａｒｌｉｐａｌ（登録商標）を含み得る。
【０１０２】
更なる好適な分岐状アニオン性洗浄性界面活性剤としては、イソプレノイド系多分岐状洗剤アルコールの界面活性剤誘導体が挙げられる。イソプレノイド系界面活性剤及びイソプレノイド誘導体は、「Ｃｏｍｐｒｅｈｅｎｓｉｖｅ  Ｎａｔｕｒａｌ  Ｐｒｏｄｕｃｔｓ  Ｃｈｅｍｉｓｔｒｙ：Ｉｓｏｐｒｅｎｏｉｄｓ  Ｉｎｃｌｕｄｉｎｇ  Ｃａｒｏｔｅｎｏｉｄｓ  ａｎｄ  Ｓｔｅｒｏｉｄｓ  （Ｖｏｌ．ｔｗｏ）」という表題の文献（Ｂａｒｔｏｎ  ａｎｄ  Ｎａｋａｎｉｓｈｉ、（著作権）１９９９，Ｅｌｓｅｖｉｅｒ  Ｓｃｉｅｎｃｅ  Ｌｔｄ）にも記載され、構造Ｅに含まれており、参照により本明細書に組み込まれる。
【０１０３】
更に好適な分岐状アニオン性洗浄性界面活性剤としては、アンテイソ及びイソ−アルコールに由来するものが挙げられる。
【０１０４】
好適な分岐状アニオン性界面活性剤は、ゲルベアルコール系界面活性剤も含む。ゲルべアルコールは、分岐点が常に第２の炭素位置にある、２つの直鎖炭素鎖を有する、分岐一級単官能性アルコールである。ゲルベアルコールは、化学的には、２−アルキル−１−アルカノールと記載される。ゲルベアルコールは、一般的に１２個の炭素原子〜３６個の炭素原子を有する。ゲルベアルコールは、次の式：（Ｒ１）（Ｒ２）ＣＨＣＨ２ＯＨにより表わすことができ、式中、Ｒ１は線状アルキル基であり、Ｒ２は線状アルキル基であり、Ｒ１とＲ２の炭素原子の合計は１０〜３４であり、Ｒ１とＲ２の両方が存在する。ゲルベアルコールは、ＳａｓｏｌからＩｓｏｆｏｌ（登録商標）アルコールとして、またＣｏｇｎｉｓからＧｕｅｒｂｅｔｏｌとして市販されている。
【０１０５】
上述の分岐状界面活性剤はそれぞれ、バイオベース含量を含み得る。分岐状界面活性剤は、少なくとも約５０％、少なくとも約６０％、少なくとも約７０％、少なくとも約８０％、少なくとも約９０％、少なくとも約９５％、少なくとも約９７％、又は少なくとも約１００％のバイオベース含量を有し得る。
【０１０６】
アニオン性／非イオン性組み合わせ物
洗剤組成物は、アニオン性及び非イオン性界面活性剤の組み合わせを含み得る。アニオン性界面活性剤と非イオン性界面活性剤との重量比は少なくとも約２：１であり得る。アニオン性界面活性剤と非イオン性界面活性剤との重量比は少なくとも約５：１であり得る。アニオン性界面活性剤と非イオン性界面活性剤との重量比は少なくとも約１０：１であり得る。
【０１０７】
界面活性剤の組み合わせ物
洗浄組成物は、アニオン性界面活性剤及び非イオン性界面活性剤、例えばＣ１２〜Ｃ１８アルキルエトキシレートを含み得る。洗浄組成物は、Ｃ１０〜Ｃ１５アルキルベンゼンスルホン酸塩（ＬＡＳ）、及び別のアニオン性界面活性剤、例えば、Ｃ１０〜Ｃ１８アルキルアルコキシ硫酸塩（ＡＥｘＳ）（式中、ｘは１〜３０である）を含み得る。洗浄組成物は、アニオン性界面活性剤及びカチオン性界面活性剤、例えばジメチルヒドロキシエチルラウリルアンモニウムクロリドを含み得る。洗浄組成物は、アニオン性界面活性剤及び双性界面活性剤、例えばＣ１２〜Ｃ１４ジメチルアミンオキシドを含み得る。
【０１０８】
洗浄補助添加剤
本発明の洗浄組成物はまた、洗浄補助添加剤を含有してもよい。好適な洗浄補助添加剤としては、ビルダー、界面活性剤又は増粘剤、泥汚れ除去／再付着防止剤、ポリマー汚れ遊離剤、ポリマー分散剤、ポリマーグリース洗浄剤、酵素、酵素安定化系、漂白化合物、漂白剤、漂白活性剤、漂白触媒、増白剤、染料、布地色調剤、移染防止剤、キレート剤、抑泡剤、布地柔軟剤、及び芳香剤が挙げられる。
【０１０９】
酵素
本明細書に記載の洗浄組成物は、洗浄性能及び／又は布地ケア効果をもたらす１つ以上の酵素を含み得る。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ、又はこれらの混合物が挙げられるが、これらに限定されない。典型的な組み合わせは、例えば、プロテアーゼ及びリパーゼをアミラーゼとともに含んでよい酵素カクテルである。前述の追加の酵素は、消費者製品中に存在する場合、消費者製品の約０．００００１重量％〜約２重量％、約０．０００１重量％〜約１重量％、又は更には約０．００１重量％〜約０．５重量％の酵素タンパク質のレベルで存在し得る。
【０１１０】
一態様では、好ましい酵素としてはプロテアーゼが挙げられる。好適なプロテアーゼは、メタロプロテアーゼ及びセリンプロテアーゼを含み、サブチリシン（ＥＣ  ３．４．２１．６２）などの、中性又はアルカリ性微生物セリンプロテアーゼが含まれる。好適なプロテアーゼは、動物、植物、又は微生物由来のものを含む。一態様では、このような好適なプロテアーゼは、微生物に由来するものであってよい。好適なプロテアーゼには、上記の好適なプロテアーゼの化学的又は遺伝的に修飾された変異体が含まれる。いくつかの態様では、好適なプロテアーゼは、アルカリ性微生物プロテアーゼ又は／及びトリプシン型プロテアーゼなどのセリンプロテアーゼであってよい。好適な中性又はアルカリ性プロテアーゼの例としては、以下のものが挙げられる。
（ａ）米国特許第６，３１２，９３６  Ｂ１号、同第５，６７９，６３０号、同第４，７６０，０２５号、同第７，２６２，０４２号、及び国際公開第０９／０２１８６７号に記載のバチルス・レンタス、Ｂ．アルカロフィルス、枯草菌、Ｂ．アミロリケファシエンス、バチルス・プミルス、及びバチルス・ギブソニーなどのバチルスに由来するものを含むサブチリシン（ＥＣ  ３．４．２１．６２）。
（ｂ）国際公開第８９／０６２７０号に記載のフサリウムプロテアーゼ、及び国際公開第０５／０５２１６１号及び同第０５／０５２１４６号に記載のセルロモナスに由来するキモトリプシンプロテアーゼを含む、トリプシン（例えば、ブタ又はウシ由来）などのトリプシン型又はキモトリプシン型プロテアーゼ。
（ｃ）メタロプロテアーゼ（国際公開第０７／０４４９９３Ａ２号に記載のバチルス・アミロリケファシエンス由来のものを含む）。
【０１１１】
好ましいプロテアーゼは、バチルス・ギブソニー又はバチルス・レンタスに由来するものを含む。
【０１１２】
好ましい市販のプロテアーゼ酵素は、商品名Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、及びＥｓｐｅｒａｓｅ（登録商標）でＮｏｖｏｚｙｍｅｓ  Ａ／Ｓ（Ｄｅｎｍａｒｋ）により販売されているもの、商品名Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）でＧｅｎｅｎｃｏｒ  Ｉｎｔｅｒｎａｔｉｏｎａｌにより販売されているもの、商品名Ｏｐｔｉｃｌｅａｎ（登録商標）及びＯｐｔｉｍａｓｅ（登録商標）でＳｏｌｖａｙ  Ｅｎｚｙｍｅｓにより販売されているもの、Ｈｅｎｋｅｌ／Ｋｅｍｉｒａから入手可能なもの、つまりＢＬＡＰ（次の突然変異：Ｓ９９Ｄ＋Ｓ１０１  Ｒ＋Ｓ１０３Ａ＋Ｖ１０４Ｉ＋Ｇ１５９Ｓを有する米国特許第５，３５２，６０４号の図２９に示される配列、以後、ＢＬＡＰと称される）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）、及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（全てＨｅｎｋｅｌ／Ｋｅｍｉｒａから）、並びにＫａｏからのＫＡＰ（突然変異Ａ２３０Ｖ＋Ｓ２５６Ｇ＋Ｓ２５９Ｎを有するバチルス・アルカロフィラスサブチリシン）を含む。
【０１１３】
好適なα−アミラーゼは、細菌又は真菌由来のものを含む。化学的に又は遺伝的に修飾された突然変異体（変異体）が含まれる。好ましいアルカリ性α−アミラーゼは、バチルスの菌種、例えば、バチルス・リケニフォルミス、バチルス・アミロリケファシエンス、バチルス・ステロサーモフィラス、バチルス・ズブチルス、又は他のバチルス種、例えばバチルス種ＮＣＩＢ  １２２８９，ＮＣＩＢ  １２５１２，ＮＣＩＢ  １２５１３，ＤＳＭ  ９３７５（米国特許第７，１５３，８１８号）ＤＳＭ  １２３６８，ＤＳＭＺ番号１２６４９，ＫＳＭ  ＡＰ１３７８（国際公開第９７／００３２４号），ＫＳＭ  Ｋ３６又はＫＳＭ  Ｋ３８欧州特許第１，０２２，３３４号）に由来する。好ましいアミラーゼは次のものを含む。
（ａ）国際公開第９４／０２５９７号、同第９４／１８３１４号、同第９６／２３８７４号、及び同第９７／４３４２４号に記載の変異体、特に国際公開第９６／２３８７４号に記載の配列番号２として列挙される酵素に対して位置：１５、２３、１０５、１０６、１２４、１２８、１３３、１５４、１５６、１８１、１８８、１９０、１９７、２０２、２０８、２０９、２４３、２６４、３０４、３０５、３９１、４０８、及び４４４．のうちの１つ以上に置換を有する変異体。
（ｂ）米国特許第５，８５６，１６４号及び国際公開第９９／２３２１１号、同第９６／２３８７３号、同第００／６００６０号、及び同第０６／００２６４３号に記載の変異体、特に国際公開第０６／００２６４３号に配列番号１２として列挙されるＡＡ５６０酵素に対して、位置：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４に１つ以上の置換を有し、好ましくはＤ１８３＊及びＧ１８４＊の欠失を含む変異体。
（ｃ）国際公開第０６／００２６４３号における配列番号４のバチルスＳＰ７２２からの野生型酵素と少なくとも９０％の同一性を示す変異体、特に１８３及び１８４位置に欠失を有する変異体並びに国際公開第００／６００６０号（参照により本明細書に組み込まれる）に記載の変異体。
（ｄ）バチルス属７０７（米国特許第６，０９３，５６２号の配列番号７）からの野生型酵素と少なくとも９５％の同一性を示す変異体、特に変異Ｍ２０２、Ｍ２０８、Ｓ２５５、Ｒ１７２、及び／又はＭ２６１のうちの１つ以上含むもの。好ましくは、該アミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ、及び／又はＲ１７２Ｑのうちの１つ以上を含む。特に好ましいのは、Ｍ２０２Ｌ又はＭ２０２Ｔ突然変異を含むものである。
（ｅ）国際公開第０９／１４９１３０号に記載の変異体、好ましくは国際公開第０９／１４９１３０号における配列番号１又は配列番号２（ゲオバチルス・ステロサーモフィラスからの野生型酵素）と少なくとも９０％の同一性を示す変異体又はそのトランケート型変異体。
【０１１４】
好適な市販のα−アミラーゼは、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）、及びＢＡＮ（登録商標）（Ｎｏｖｏｚｙｍｅｓ  Ａ／Ｓ，Ｂａｇｓｖａｅｒｄ，Ｄｅｎｍａｒｋ）、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ  Ｗｅｈｌｉｓｔｒａｓｓｅ  ２７ｂ  Ａ−１２００，Ｗｉｅｎ，Ａｕｓｔｒｉａ）、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）、及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．，Ｐａｌｏ  Ａｌｔｏ，Ｃａｌｉｆｏｒｎｉａ））、並びにＫＡＭ（登録商標）（Ｋａｏ，１４−１０  Ｎｉｈｏｎｂａｓｈｉ  Ｋａｙａｂａｃｈｏ，１−ｃｈｏｍｅ，Ｃｈｕｏ−ｋｕ  Ｔｏｋｙｏ  １０３〜８２１０，Ｊａｐａｎ）を含む。一態様では、好適なアミラーゼは、ＮＡＴＡＬＡＳＥ（登録商標）、ＳＴＡＩＮＺＹＭＥ（登録商標）、及びＳＴＡＩＮＺＹＭＥ  ＰＬＵＳ（登録商標）、並びにこれらの混合物を含む。
【０１１５】
一態様では、そのような酵素は、米国特許第６，９３９，７０２  Ｂ１号及び米国特許出願第２００９／０２１７４６４号に記載されているものなどの「第１サイクルリパーゼ」を含むリパーゼからなる群から選択され得る。一態様では、リパーゼは第１洗浄用リパーゼ、好ましくはＴ２３１Ｒ及びＮ２３３Ｒ突然変異のうちの１つ以上を含む、サーモマイセスラヌギノサス由来の野生型リパーゼの変異体である。野生型配列は、Ｓｗｉｓｓｐｒｏｔ受入番号Ｓｗｉｓｓ−Ｐｒｏｔ  Ｏ５９９５２（サーモマイセス・ラヌギノサス（フミコーラ・ラヌギノサ由来）の２６９個のアミノ酸（アミノ酸２３〜２９１）である。好ましいリパーゼとしては、商品名Ｌｉｐｅｘ（登録商標）及びＬｉｐｏｌｅｘ（登録商標）で販売されているものが挙げられる。
【０１１６】
一態様では、他の好ましい酵素は、エンド−β−１，４−グルカナーゼ活性（Ｅ．Ｃ．３．２．１．４）を呈する微生物由来のエンドグルカナーゼを含み、それには米国特許第７，１４１，４０３Ｂ２号におけるアミノ酸配列の配列番号２と少なくとも９０％、９４％、９７％、及び更には９９％の同一性の配列を有するバチルス属のメンバー及びこれらの混合物に対して内因性である細菌ポリペプチドが含まれる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ、Ｂａｇｓｖａｅｒｄ、Ｄｅｎｍａｒｋ）で販売されている。
【０１１７】
他の好ましい酵素としては、Ｐｅｃｔａｗａｓｈ（登録商標）、Ｐｅｃｔａｗａｙ（登録商標）、Ｘｐｅｃｔ（登録商標）という商品名で販売されているペクテートリアーゼ、及びＭａｎｎａｗａｙ（登録商標）という商品名で販売されているマンナナーゼ（いずれもＮｏｖｏｚｙｍｅｓ  Ａ／Ｓ（Ｂａｇｓｖａｅｒｄ、Ｄｅｎｍａｒｋ）製、）、及びＰｕｒａｂｒｉｔｅ（登録商標）（Ｇｅｎｅｎｃｏｒ  Ｉｎｔｅｒｎａｔｉｏｎａｌ  Ｉｎｃ．、Ｐａｌｏ  Ａｌｔｏ、Ｃａｌｉｆｏｒｎｉａ）が挙げられる。
【０１１８】
酵素安定化系
洗剤組成物は、任意に組成物の約０．００１重量％〜約１０重量％、いくつかの例では、約０．００５重量％〜約８重量％、他の例では、約０．０１重量％〜約６重量％の酵素安定化系を含み得る。酵素安定化系は、洗浄性酵素と適合性の任意の安定化系であり得る。そのような系は、他の配合物活性分によって本質的に提供されてもよく、又は洗剤に使用可能な酵素の配合者若しくは製造業者によって別個に添加されてもよい。そのような安定化系には、例えば、カルシウムイオン、ホウ酸、プロピレングリコール、短鎖カルボン酸、ボロン酸、塩素漂白剤掃去剤及びこれらの混合物が含まれ得、洗剤組成物の種類及び物理的形態に応じて異なる安定化問題に対処するように設計される。プロテアーゼを含む水性洗剤組成物の場合は、ボレート、４−ホルミルフェニルボロン酸、フェニルボロン酸、及びこれらの誘導体を含むホウ素化合物などの可逆的プロテアーゼ阻害剤、又はカルシウムホルメート、ナトリウムホルメート及び１，２−プロパンジオールなどの化合物を添加して、安定性を更に改善してもよい。
【０１１９】
ビルダー
本発明の洗浄組成物は、任意にビルダーを含み得る。ビルダー入り洗剤組成物は、典型的には、組成物の全重量に基づき少なくとも約１重量％のビルダーを含む。液体洗剤組成物は、組成物の全重量の最大約１０重量％、一部の実施例では、最大約８重量％のビルダーを含み得る。顆粒洗剤組成物は、組成物の最大約３０重量％のビルダー、いくつかの例では、最大約５重量％のビルダーを含み得る。
【０１２０】
アルミノシリケート（例えば、ゼオライトＡ、ゼオライトＰ、及びゼオライトＭＡＰなどのゼオライトビルダー）及びシリケートから選択されるビルダーは、洗浄水の鉱物質硬度、特にカルシウム及び／又はマグネシウムの制御、表面からの微粒子汚れの除去を助ける。好適なビルダーは、ポリリン酸塩（例えばナトリウムトリ−ポリリン酸塩）、特にそのナトリウム塩などのリン酸塩、炭酸ナトリウム又はセスキ炭酸ナトリウム以外の炭酸塩、重炭酸塩、セスキ炭酸塩、及び炭酸塩鉱物、有機モノ−、ジ−、トリ−、及びテトラカルボキシレート、特に、酸、ナトリウム、カリウム、又はアルカノールアンモニウム塩形態の水溶性非界面活性剤カルボキシレート、並びに脂肪族及び芳香族の種類を含むオリゴマー又は水溶性低分子量ポリマーカルボキシレート、並びにフィチン酸、から選択され得る。これらは、例えばｐＨ緩衝目的のためのホウ酸塩によって、又は硫酸塩、特に硫酸ナトリウム、並びに安定した界面活性剤及び／又はビルダー含有洗剤組成物の工学技術に重要であり得る任意の他の充填剤又は担体によって補完され得る。更なる好適な洗剤ビルダーは、クエン酸、乳酸、脂肪酸、ポリカルボキシレートビルダー、例えばアクリル酸のコポリマー、アクリル酸及びマレイン酸のコポリマー、並びにアクリル酸及び／又はマレイン酸、及び多様な種類の追加の官能基を有するその他の好適なエチレン系モノマーのコポリマーから選択されてもよい。また、本明細書のビルダーとしての使用に好適なものは、米国特許第５，４２７，７１１号で教示されるように、鎖構造を有し、次の一般的な無水物形態ｘ（Ｍ２Ｏ）・ｙＳｉＯ２・ｚＭ’Ｏによって表される組成を有する、合成された結晶性イオン交換材料又はその水和物であり、式中、ＭはＮａ及び／又はＫであり、Ｍ’はＣａ及び／又はＭｇであり、ｙ／ｘは、０．５〜２．０であり、ｚ／ｘは、０．００５〜１．０である。
【０１２１】
あるいは、組成物はビルダーを実質的に含まなくてもよい。
【０１２２】
構造剤／増粘剤
ｉ．ジベンジリデンポリオールアセタール誘導体
本流体洗剤組成物は、約０．０１重量％〜約１重量％、又は約０．０５％〜約０．８％、又は約０．１重量％〜約０．６重量％、又は更に約０．３重量％〜約０．５重量％のジベンジリデンポリオールアセタール誘導体（ＤＢＰＡ）を含み得る。ＤＢＰＡ誘導体は、ジベンジリデンソルビトールアセタール誘導体（ＤＢＳ）を含み得る。該ＤＢＳ誘導体は、１，３：２，４−ジベンジリデンソルビトール、１，３：２，４−ジ（ｐ−メチルベンジリデン）ソルビトール、１，３：２，４−ジ（ｐ−クロロベンジリデン）ソルビトール、１，３：２，４−ジ（２，４−ジメチルジベンジリデン）ソルビトール、１，３：２，４−ジ（ｐ−エチルベンジリデン）ソルビトール、及び１，３：２，４−ジ（３，４−ジメチルベンジリデン）ソルビトール、又はこれらの混合物からなる群から選択され得る。
【０１２３】
ｉｉ．細菌セルロース
また、流体洗剤組成物は、約０．００５重量％〜約１重量％の細菌セルロース網状構造物も含み得る。用語「細菌セルロース」は、ＣＰＫｅｌｃｏ  Ｕ．Ｓ．によるＣＥＬＬＵＬＯＮ（登録商標）などのアセトバクター（Acetobacter）属の細菌の発酵を介して生成される任意の種類のセルロースを包含し、かつミクロフィブリル化セルロース、網状細菌セルロースなどと一般に称される材料を含む。一態様では、該繊維の断面寸法は、１．６ｎｍ〜３．２ｎｍ×５．８ｎｍ〜１３３ｎｍである。更に、細菌セルロース繊維の平均ミクロ繊維長は、少なくとも約１００ｎｍ、又は約１００〜約１，５００ｎｍである。一態様では、細菌セルロースミクロ繊維は、約１００：１〜約４００：１、又は約２００：１〜約３００：１のアスペクト比、即ち、平均ミクロ繊維の長さをミクロ繊維の最大断面幅で除したものを有する。
【０１２４】
ｉｉｉ．被覆された細菌セルロース
一態様では、細菌セルロースは、ポリマー増粘剤で少なくとも部分的に被覆される。一態様では、少なくとも部分的に被覆された細菌セルロースは、約０．１重量％〜約５重量％、又は更には０．５重量％〜約３重量％の細菌セルロース、及び約１０重量％〜約９０重量％のポリマー増粘剤を含む。好適な細菌セルロースは、上述の細菌セルロースを含み得、好適なポリマー増粘剤は、カルボキシメチルセルロース、カチオン性ヒドロキシメチルセルロース、及びこれらの混合物を含む。
【０１２５】
ｉｖ．非細菌セルロース由来のセルロース繊維
一態様では、本組成物は、組成物の約０．０１〜約５重量％のセルロース繊維を更に含み得る。該セルロース繊維は野菜、果物、又は木材から抽出され得る。市販の例は、ＦＭＣからのＡｖｉｃｅｌ（登録商標）、ＦｉｂｅｒｓｔａｒからのＣｉｔｒｉ−Ｆｉ又はＣｏｓｕｎからのＢｅｔａｆｉｂである。
【０１２６】
ｖ．非ポリマー系結晶性ヒドロキシ官能性材料
一態様では、本組成物は、組成物の約０．０１〜約１重量％の非ポリマー結晶性ヒドロキシル官能性構造剤を更に含み得る。該非ポリマー結晶性ヒドロキシル官能性構造剤は、一般的に、最終流体洗剤組成物への分散を補助するために予め乳化が可能な結晶化可能なグリセリドを含み得る。一態様では、結晶化可能なグリセリドとしては、液体洗剤組成物において結晶化させることができる限り、硬化ヒマシ油又は「ＨＣＯ」又はその誘導体が挙げられる。
【０１２７】
ｖｉ．ポリマー構造剤
本発明の流体洗剤組成物は、約０．０１重量％〜約５重量％の天然由来及び／又は合成のポリマー構造剤を含み得る。本発明で使用する天然由来のポリマー構造剤の例としては、ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルギネート、アラビノガラクタン（アラビアゴム）、カラギーナン、ジェランガム、キサンタンガム、グアーガム、及びこれらの混合物が挙げられる。本発明で用いる合成ポリマー構造化剤の例としては、ポリカルボキシレート、ポリアクリレート、疎水性変性エトキシル化ウレタン、疎水性変性非イオン性ポリオール、及びこれらの混合物が挙げられる。一態様では、該ポリカルボキシレートポリマーは、ポリアクリレート、ポリメタクリレート、又はこれらの混合物である。別の態様では、ポリアクリレートは、不飽和モノ−又はジ−炭酸と、（メタ）アクリル酸のＣ１〜Ｃ３０アルキルエステルとのコポリマーである。該コポリマーは、商標名Ｃａｒｂｏｐｏｌ  Ａｑｕａ  ３０としてＮｏｖｅｏｎ  Ｉｎｃから入手可能である。
【０１２８】
ｖｉｉ．ジアミドゲル化剤
一態様では、外部構造化系は、分子量が約１５０ｇ／モル〜約１，５００ｇ／モル、又は更には約５００ｇ／モル〜約９００ｇ／モルのジアミドゲル化剤を含み得る。このようなジアミドゲル化剤は、少なくとも２個の窒素原子を含んでよく、該窒素原子のうちの少なくとも２個は、アミド官能性置換基を形成する。一態様では、アミド基は異なっている。別の態様では、アミド官能性基は同じである。ジアミドゲル化剤は、下記の式を有し、
【０１２９】
【化１５】
0006396583.tif 000016
式中、
Ｒ１及びＲ２は、アミノ官能性末端基、又は更にはアミド官能性末端基であり、一態様では、Ｒ１及びＲ２は、ｐＨ調整可能基を含んでよく、ｐＨ調整可能なアミドゲル化剤は、約１〜約３０、又は更には約２〜約１０のｐＫａを有し得る。一態様では、ｐＨ調整可能基は、ピリジンを含み得る。一態様では、Ｒ１及びＲ２は異なっていてよい。別の態様では、同じであってよい。
【０１３０】
Ｌは、１４〜５００ｇ／モルの分子量の連結部分である。一態様では、Ｌは、２〜２０個の炭素原子を含む炭素鎖を含み得る。別の態様では、Ｌは、ｐＨ調整可能基を含んでよい。一態様では、ｐＨ調整可能基は、二級アミンである。
【０１３１】
一態様では、Ｒ１、Ｒ２又はＬのうちの少なくとも１つは、ｐＨ調整可能基を含み得る。
【０１３２】
ジアミドゲル化剤の非限定的な例は、次の通りである。
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド
【０１３３】
【化１６】
0006396583.tif 000017
ジベンジル（２Ｓ，２’Ｓ）−１，１’−（プロパン−１，３−ジイルビス（アザンジイル））ビス（３−メチル−１−オキソブタン−２，１−ジイル）ジカルバメート
【０１３４】
【化１７】
0006396583.tif 000018
ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメート
【０１３５】
【化１８】
0006396583.tif 000019
【０１３６】
ポリマー分散剤
本洗剤組成物は、１つ以上のポリマー分散剤を含み得る。例は、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリアクリル酸塩などのポリカルボン酸塩、マレイン酸／アクリル酸コポリマー、及びメタクリル酸ラウリル／アクリル酸コポリマーである。
【０１３７】
本洗剤組成物は、一般構造ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ｂｉｓ（（Ｃ２Ｈ５Ｏ）（Ｃ２Ｈ４Ｏ）ｎ）、（式中、ｎ＝２０〜３０、及びｘ＝３〜８である）有する化合物、又はその硫酸化又はスルホン化変異体などの１つ以上の両親媒性洗浄ポリマーを含み得る。
【０１３８】
本洗剤組成物は、布地及び表面からグリース粒子を除去するように、親水性と疎水性が釣り合っている両親媒性アルコキシル化グリース洗浄ポリマーを含んでよい。両親媒性アルコキシル化グリース洗浄ポリマーは、コア構造及びコア構造に結合した複数のアルコキシレート基を含み得る。これらは、例えば内側ポリエチレンオキシドブロック及び外側ポリプロピレンオキシドブロックを有するアルコキシル化ポリアルキレンイミンを含み得る。このような材料としては、エトキシル化ポリエチレンイミン、エトキシル化ヘキサメチレンジアミン、及びこれらを硫酸化したものが挙げられるがこれに限定されない。ポリプロポキシル化誘導体も包含させることができる。多種多様なアミン及びポリアルキレンイミンを様々な程度にアルコキシル化することができる。有用な例としては、ＮＨ当たり２０ＥＯ基までエトキシル化されている６００ｇ／モルのポリエチレンイミンコアがＢＡＳＦより入手可能である。本明細書に記載の洗剤組成物は、洗剤成物の約０．１重量％〜約１０重量％、いくつかの例では、約０．１重量％〜約８重量％、他の例では、約０．１重量％〜約６重量％のアルコキシル化アミンを含み得る。
【０１３９】
カルボキシレートポリマー−本発明の洗剤組成物はまた、任意にスルホン化され得る１つ以上のカルボキシレートポリマーも含み得る。好適なカルボキシレートポリマーは、マレアート／アクリレートランダムコポリマー、又はポリ（メタ）アクリレートホモポリマーを含む。一態様において、カルボキシレートポリマーは、４，０００Ｄａ〜９，０００Ｄａ、又は６，０００Ｄａ〜９，０００Ｄａの分子量を有するポリ（メタ）アクリレートホモポリマーである。
【０１４０】
アルコキシル化ポリカルボキシレートも本明細書での洗浄組成物中で使用して、グリース除去を提供し得る。そのような材料は、国際公開第９１／０８２８１号及びＰＣＴ出願第９０／０１８１５号に記載されている。化学的に、これらの材料は、７〜８個の（メタ）アクリレート単位ごとに１つのエトキシ側鎖を有するポリ（メタ）アクリレートを含む。側鎖は、式−（ＣＨ２ＣＨ２Ｏ）ｍ（ＣＨ２）ｎＣＨ３を有し、式中、ｍは、２〜３であり、ｎは、６〜１２である。ポリアクリレート「主鎖」に側鎖がエステル結合すると、「櫛形」ポリマー型構造がもたらされる。分子量は様々であるが、通常は約２０００〜約５０，０００の範囲内であり得る。本明細書に記載の洗剤組成物は、洗剤組成物の約０．１重量％〜約１０重量％、いくつかの例では、約０．２５重量％〜約５重量％、他の例では、約０．３重量％〜約２重量％のアルコキシル化ポリカルボキシレートを含み得る。
【０１４１】
本洗剤組成物は、両親媒性グラフトコポリマーを含み得る。好適な両親媒性グラフトコポリマーは、（ｉ）ポリエチレングリコール主鎖、及び、（ｉｉ）ポリ酢酸ビニル、ポリビニルアルコール、及びこれらの混合物から選択される少なくとも１つのペンダント部分、を含む。好ましい両親媒性グラフトコポリマーは、ＢＡＳＦから供給されるＳｏｋａｌａｎ（登録商標）ＨＰ２２である。好適なポリマーは、ランダムグラフトコポリマー、好ましくは、ポリエチレンオキシド主鎖と複数のポリ酢酸ビニル側鎖とを有するポリ酢酸ビニルグラフト化ポリエチレンオキシドコポリマーを含む。ポリエチレンオキシド主鎖の分子量は、典型的には約６０００であり、ポリエチレンオキシドとポリ酢酸ビニルとの重量比は、約４０〜６０であり、エチレンオキシド単位５０当たり１グラフト点を超えない。
【０１４２】
汚れ遊離ポリマー
本発明の洗剤組成物は、また、以下の構造（Ｉ）、（ＩＩ）又は（ＩＩＩ）のうちの１つにより定義される構造を有する１つ以上の汚れ遊離ポリマーを含み得る。
（Ｉ）        −［（ＯＣＨＲ１−ＣＨＲ２）ａ−Ｏ−ＯＣ−Ａｒ−ＣＯ−］ｄ
（ＩＩ）      −［（ＯＣＨＲ３−ＣＨＲ４）ｂ−Ｏ−ＯＣ−ｓＡｒ−ＣＯ−］ｅ
（ＩＩＩ）    −［（ＯＣＨＲ５−ＣＨＲ６）ｃ−ＯＲ７］ｆ
（式中、
ａ、ｂ、及びｃは、１〜２００であり、
ｄ、ｅ、及びｆは、１〜５０であり、
Ａｒは、１，４−置換フェニレンであり、
ｓＡｒは、５位がＳＯ３Ｍｅにより置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラアルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５、及びＲ６は、独立して、Ｈ又はＣ１〜Ｃ１８ｎ−若しくはイソ−アルキルであり、
Ｒ７は、線状若しくは分岐状Ｃ１〜Ｃ１８アルキル、又は線状若しくは分岐状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である）。
【０１４３】
好適な汚れ遊離ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル汚れ遊離ポリマーである。他の好適な汚れ遊離ポリマーとしては、Ｔｅｘｃａｒｅポリマー（Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００、及びＳＲＮ３２５を含む）が挙げられる。他の好適な汚れ遊離ポリマーは、Ｍａｒｌｏｑｕｅｓｔポリマー（Ｓａｓｏｌにより供給されているＭａｒｌｏｑｕｅｓｔ  ＳＬなど）である。
【０１４４】
セルロース性ポリマー
本発明の洗浄組成物はまた、アルキルセルロース、アルキルアルコキシアルキルセルロース、カルボキシアルキルセルロース、アルキルカルボキシアルキルセルロースから選択されるものなどを含む、１つ以上のセルロース系ポリマーを含み得る。一態様では、セルロース系ポリマーは、カルボキシメチルセルロース、メチルセルロース、メチルヒドロキシエチルセルロース、メチルカルボキシメチルセルロース及びこれらの混合物を含む群から選択される。一態様では、カルボキシメチルセルロースは、０．５〜０．９のカルボキシメチル置換度及び１００，０００Ｄａ〜３００，０００Ｄａの分子量を有する。
【０１４５】
ポリマー分散剤の例は、米国特許第３，３０８，０６７号、欧州特許出願第６６９１５号、欧州特許第１９３，３６０号、及び同第１９３，３６０号に見出される。
【０１４６】
追加のアミン
汚れた素材からのグリース及び微粒子の除去を向上するために、本明細書で記載される洗浄組成物において更なるアミンが使用されてもよい。本明細書に記載の洗剤組成物は、洗剤組成物の約０．１重量％〜約１０重量％、いくつかの例では、約０．１重量％〜約４重量％、他の例では、約０．１重量％〜約２重量％の追加のアミンを含み得る。追加のアミンの非限定的な例としては、ポリアミン、オリゴアミン、トリアミン、ジアミン、ペンタミン、テトラアミン、又はこれらの組み合わせを挙げることができるが、これらに限定されない。好適な追加のアミンの具体的な例としては、テトラエチレンペンタミン、トリエチレンテトラアミン、ジエチレントリアミン、又はこれらの混合物が挙げられる。
【０１４７】
漂白剤−本発明の洗剤組成物は、１つ以上の漂白剤を含み得る。漂白触媒以外の好適な漂白剤は、光触媒、漂白活性化剤、過酸化水素、過酸化水素源、予形成過酸、及びこれらの混合物を含む。一般的に、漂白剤を用いる場合、本発明の洗剤組成物は、洗剤組成物の約０．１重量％〜約５０重量％又は更には約０．１重量％〜約２５重量％の漂白剤を含んでよい。好適な漂白剤の例としては、以下のものを含む。光触媒、予形成過酸、過酸化水素源、Ｒ−（Ｃ＝Ｏ）−Ｌを有する漂白活性化剤（式中、Ｒはアルキル基であり、任意に分岐状であり、漂白活性化剤が疎水性である場合には、６〜１４個の炭素原子、又は８〜１２個の炭素原子を有し、漂白活性化剤が親水性の場合、６個未満の炭素原子、又は更には４個未満の炭素原子を有し、Ｌは脱離基である）。好適な漂白活性化剤は、ドデカノイルオキシベンゼンスルホン酸塩、デカノイルオキシベンゼンスルホン酸塩、デカノイルオキシ安息香酸又はこれらの塩類、３，５，５−トリメチルヘキサノイルオキシベンゼンスルホン酸塩、テトラアセチルエチレンジアミン（ＴＡＥＤ）及びノナノイルオキシベンゼンスルホン酸塩（ＮＯＢＳ）を含む。
【０１４８】
漂白触媒−本発明の洗剤組成物はまた、ペルオキシ酸及び／又はその塩から酸素原子を受け取り、その酸素原子を酸化可能な基質に移送することができる１つ以上の漂白触媒を含み得る。好適な漂白触媒は、イミニウムカチオン及びポリイオン、イミニウム双性イオン、修飾アミン、修飾アミンオキシド、Ｎ−スルホニルイミン、Ｎ−ホスホニルイミン、Ｎ−アシルイミン、チアジアゾールジオキシド、ペルフルオロイミン、環状糖ケトン、並びにこれらの混合物を含むが、これらに限定されない。
【０１４９】
増白剤
光学増白剤又は他の増白剤若しくは白化剤は、組成物の約０．０１重量％〜約１．２重量％のレベルで本明細書に記載の洗浄組成物の中に組み込むことができる。本発明に好適な市販の蛍光増白剤は、サブグループに分類することができ、スチルベン、ピラゾリン、クマリン、ベンゾキサゾール、カルボン酸、メチンシアニン、ジベンゾチオフェン−５，５−ジオキシド、アゾール、５及び６員環の複素環、並びに他の様々な物質の誘導体を含むが、これらに限定されない。このような増白剤の例は、Ｊｏｈｎ  Ｗｉｌｅｙ  ＆  Ｓｏｎｓ，Ｎｅｗ  Ｙｏｒｋ（１９８２）により出版された、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」，Ｍ．Ｚａｈｒａｄｎｉｋに開示されている。本発明の組成物に有用である光学増白剤の具体的な非限定的例は、米国特許第４，７９０，８５６号、米国特許第３，６４６，０１５号、米国特許第７８６３２３６号、及びその中国対応特許第１７６４７１４号に特定されているものである。
【０１５０】
いくつかの例では、蛍光増白剤は、式（１）の化合物を含む。
【０１５１】
【化１９】
0006396583.tif 000020
［式中、Ｘ１、Ｘ２、Ｘ３、及びＸ４は−Ｎ（Ｒ１）Ｒ２であり、Ｒ１及びＲ２は独立して、水素、フェニル、ヒドロキシエチル、又は非置換又は置換Ｃ１〜Ｃ８アルキルから選択されるか、又は−Ｎ（Ｒ１）Ｒ２は、ヘテロ環を形成し、好ましくはＲ１及びＲ２は独立して、水素又はフェニルから選択されるか、又は−Ｎ（Ｒ１）Ｒ２は、非置換又は置換モルホリン環を形成し、Ｍは、水素又はカチオンであり、好ましくは、Ｍは、ナトリウム又はカリウムであり、より好ましくは、Ｍはナトリウムである］。
【０１５２】
いくつかの例では、蛍光増白剤は、ジナトリウム４，４’−ビス｛［４−アニリノ−６−モルホリノ−ｓ−トリアジン２−イル］−アミノ｝２，２’−スチルベンジスルホン酸塩（増白剤１５、商品名Ｔｉｎｏｐａｌ  ＡＭＳ−ＧＸとしてＣｉｂａ  Ｇｅｉｇｙ  Ｃｏｒｐｏｒａｔｉｏｎにより市販されている）、ジナトリウム４，４’−ビス｛［４−アニリノ−６−（Ｎ−２−ビス−ヒドロキシエチル）−ｓ−トリアジン−２−イル］−アミノ｝−２，２’−スチルベンジスルホン酸塩（商品名Ｔｉｎｏｐａｌ  ＵＮＰＡ−ＧＸとしてＣｉｂａ−Ｇｅｉｇｙ  Ｃｏｒｐｏｒａｔｉｏｎにより市販されている）、ジナトリウム４，４’−ビス｛［４−アニリノ−６−（Ｎ−２−ヒドロキシエチル−Ｎ−メチルアミノ）−ｓ−トリアジン−２−イル］−アミノ｝−２，２’−スチルベンジスルホン酸塩（商品名Ｔｉｎｏｐａｌ  ５ＢＭ−ＧＸとしてＣｉｂａ−Ｇｅｉｇｙ  Ｃｏｒｐｏｒａｔｉｏｎにより市販されている）からなる群から選択される。より好ましくは、蛍光増白剤は、ジナトリウム４，４’−ビス｛［４−アニリノ−６−モルホリノ−ｓ−トリアジン−２−イル］−アミノ｝−２，２’−スチルベンジスルホン酸塩である。
【０１５３】
増白剤は、粒子の形で又は好適な溶剤、例えば非イオン性界面活性剤、モノエタノールアミン、プロパンジオールとのプレミックスとして添加されてもよい。
【０１５４】
布地色調剤
本組成物は、布地色調剤（色合い剤、青味剤、又は白化剤と称される場合もある）を含み得る。典型的には、色調剤は布地に青又は紫の色合いをもたらす。色調剤は、単独又は組み合わせのいずれかで使用して、特定の色調の色合いを作り出し、かつ／又は異なる種類の布地に色合いをつけることができる。これは、例えば赤と緑−青の染料とを混合して青又は紫の色合いを生じさせることにより提供され得る。色調剤は、任意の既知の化学分類の染料から選択されてよく、これらは、アクリジン、アントラキノン（多環式キノンを含む）、アジン、予備金属化（premetallized）されたアゾを含むアゾ（例えば、モノアゾ、ジアゾ、トリスアゾ、テトラキスアゾ、ポリアゾ）、ベンゾジフラン及びベンゾジフラノン、カロチノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない。
【０１５５】
好適な布地色調剤は、染料、染料−粘土複合体（dye-clayconjugate）、並びに有機及び無機顔料を含む。好適な染料としては、小分子染料及びポリマー染料が挙げられる。好適な小分子染料は、例えば、ブルー、バイオレット、レッド、グリーン、又はブラックに分類され、単独で又は組み合わせのいずれかで所望の色合いをもたらす、直接染料、塩基性染料、反応染料若しくは加水分解した反応性染料、溶剤染料又は分散染料の色指数（Ｃ．Ｉ．）分類に分類される染料からなる群から選択される小分子染料を含む。別の態様では、好適な小分子染料は、カラーインデックス（染色業者及びカラーリスト協会（Society of Dyers and Colourists,Bradford,UK））番号が、ダイレクトバイオレット染料９、３５、４８、５１、６６、及び９９など、ダイレクトブルー染料１、７１、８０、及び２７９など、アシッドレッド染料１７、７３、５２、８８、及び１５０など、アシッドバイオレット染料１５、１７、２４、４３、４９、及び５０など、アシッドブルー染料１５、１７、２５、２９、４０、４５、７５、８０、８３、９０、及び１１３など、アシッドブラック染料１など、ベーシックバイオレット染料１、３、４、１０、及び３５など、ベーシックブルー染料３、１６、２２、４７、６６、７５、及び１５９など、欧州特許第１７９４２７５号又は同第１７９４２７６号に記載されるものなどの分散又は溶剤染料、あるいは米国特許第７２０８４５９  Ｂ２号に開示されている染料、並びにこれらの混合物からなる群から選択される小分子染料を含む。別の態様では、好適な小分子染料は、Ｃ．Ｉ．番号アシッドバイオレット１７、ダイレクトブルー７１、ダイレクトバイオレット５１、ダイレクトブルー１、アッシドレッド８８、アッシドレッド１５０、アッシドブルー２９、アッシドブルー１１３、又はこれらの混合物からなる群から選択される小分子染料を含む。
【０１５６】
好適なポリマー染料としては、例えばポリマーと色原体とを共重合してポリマーの主鎖にしたものなどの、共有結合した（共役したと呼ばれることもある）色原体を含有するポリマー（染料−ポリマー共役体）、及びこれらの混合物からなる群から選択されるポリマー染料が挙げられる。ポリマー染料は、国際公開第２０１１／９８３５５号、同第２０１１／４７９８７号、米国特許第２０１２／０９０１０２号、国際公開第２０１０／１４５８８７号、同第２００６／０５５７８７号、及び同２０１０／１４２５０３に記載されているものを含む。
【０１５７】
別の態様では、好適なポリマー染料は、Ｌｉｑｕｉｔｉｎｔ（登録商標）（Ｍｉｌｌｉｋｅｎ，Ｓｐａｒｔａｎｂｕｒｇ，Ｓｏｕｔｈ  Ｃａｒｏｌｉｎａ，ＵＳＡ）の名称で販売されている布地直接着色剤、少なくとも１つの反応染料と、ヒドロキシル部分、第一級アミン部分、第ニ級アミン部分、チオール部分、及びこれらの混合物からなる群から選択される部分を含むポリマーからなる群から選択されるポリマーとから形成されている染料−ポリマー複合体からなる群から選択されるポリマー染料を含む。更に別の態様では、好適なポリマー染料は、Ｌｉｑｕｉｔｉｎｔ（登録商標）バイオレットＣＴ、Ｍｅｇａｚｙｍｅ，Ｗｉｃｋｌｏｗ，Ｉｒｅｌａｎｄからから商品名ＡＺＯ−ＣＭ−ＣＥＬＬＵＬＯＳＥ、商品コードＳ−ＡＣＭＣで販売されているＣ．Ｉ．リアクティブブルー１９と複合しているＣＭＣなどのリアクティブブルー、リアクティブバイオレット、又はリアクティブレッドの染料に共有結合しているカルボキシメチルセルロース（ＣＭＣ）、アルコキシル化トリフェニル−メタンポリマー着色料、アルコキシル化チオフェンポリマー着色料、及びこれらの混合物からなる群から選択されるポリマー染料を含む。
【０１５８】
好ましい色調染料は、国際公開第０８／８７４９７  Ａ１号、同２０１１／０１１７９９号、及び同第２０１２／０５４８３５号に見出される増白剤を含む。本発明で使用するのに好適な色調剤は、国際公開第２０１１／０１１７９９号の表５の実施例１〜４２から選択される染料を含む、これらの参考文献に開示されている好適な染料であってよい。他の好ましい染料は、米国特許第８１３８２２２号に開示されている。他の好ましい染料は、国際公開第２００９／０６９０７７号に開示されている。
【０１５９】
好適な染料粘土複合体は、少なくとも１つのカチオン性／塩基性染料及びスメクタイト粘土、並びにこれらの混合物を含む群から選択される染料粘土複合体を含む。別の態様では、好適な染料粘土複合体は、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される１つのカチオン性／塩基性染料と、モンモリロナイト粘土、ヘクトライト粘土、サポナイト粘土、及びこれらの組み合わせからなる群から選択される粘土と、からなる群から選択される、染料粘土複合体を含む。更に別の態様では、好適な染料粘土複合体は、モンモリロナイトベーシックブルーＢ７  Ｃ．Ｉ．４２５９５複合体、モンモリロナイトベーシックブルーＢ９  Ｃ．Ｉ．５２０１５複合体、モンモリロナイトベーシックバイオレットＶ３  Ｃ．Ｉ．４２５５５複合体、モンモリロナイトベーシックグリーンＧ１  Ｃ．Ｉ．４２０４０複合体、モンモリロナイトベーシックレッドＲ１  Ｃ．Ｉ．４５１６０複合体、モンモリロナイトＣ．Ｉ．ベーシックブラック２複合体、ヘクトライトベーシックブルーＢ７  Ｃ．Ｉ．４２５９５複合体、ヘクトライトベーシックブルーＢ９  Ｃ．Ｉ．５２０１５複合体、ヘクトライトベーシックバイオレットＶ３  Ｃ．Ｉ．４２５５５複合体、ヘクトライトベーシックグリーンＧ１  Ｃ．Ｉ．４２０４０複合体、ヘクトライトベーシックレッドＲ１  Ｃ．Ｉ．４５１６０複合体、ヘクトライトＣ．Ｉ．ベーシックブラック２複合体、サポナイトベーシックブルーＢ７  Ｃ．Ｉ．４２５９５複合体、サポナイトベーシックブルーＢ９  Ｃ．Ｉ．５２０１５複合体、サポナイトベーシックバイオレットＶ３  Ｃ．Ｉ．４２５５５複合体、サポナイトベーシックグリーンＧ１  Ｃ．Ｉ．４２０４０複合体、サポナイトベーシックレッドＲ１  Ｃ．Ｉ．４５１６０複合体、サポナイトＣ．Ｉ．ベーシックブラック２複合体、及びこれらの混合物からなる群から選択される染料粘土複合体を含む。
【０１６０】
好適な顔料は、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は置換されていないか、あるいは、Ｃ１〜Ｃ３アルキル若しくはフェニル又は複素環式ラジカルで置換されていてもよく、このフェニル及び複素環式ラジカルは更に、水溶性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群より選択される顔料を含む。
【０１６１】
別の態様では、好適な顔料は、ウルトラマリンブルー（Ｃ．Ｉ．ピグメントブルー２９）、ウルトラマリンバイオレット（Ｃ．Ｉ．ピグメントバイオレット１５）、及びこれらの混合物を含む。
【０１６２】
前述の布地色調剤は、組み合わせて使用することができる（布地色調剤の任意の混合物を使用することができる）。
【０１６３】
カプセル化剤
組成物は、カプセル化剤を含んでもよい。カプセル化剤は、コアと、内面及び外面を有するシェルとを含み得、シェルは、コアをカプセル化する。
【０１６４】
カプセル化剤は、コアと、シェルとを含み得、コアは、香料、光沢剤、染料、防虫剤、シリコーン、ワックス、フレーバー、ビタミン、布地軟化剤、スキンケア剤、例えばパラフィン、酵素、抗菌剤、漂白剤、感覚剤、又はこれらの混合物から選択される材料を含み、シェルは、ポリエチレン、ポリアミド、ポリビニルアルコール（任意に他のコモノマーを含有する）、ポリスチレン、ポリイソプレン、ポリカーボネート、ポリエステル、ポリアクリレート、ポリオレフィン、多糖類、例えば、アルギネート及び／又はキトサン、ゼラチン、セラック、エポキシ樹脂、ビニルポリマー、水溶性無機物、シリコーン、アミノ樹脂、又はこれらの混合物から選択される材料を含む。シェルがアミノ樹脂を含む場合、アミノ樹脂は、ポリウレア、ポリポリウレタン、及び／又はポリ尿素ポリウレタンを含み得る。ポリ尿素は、ポリオキシメチレン尿素及び／又はメラミンホルムアルデヒドを含み得る。
【０１６５】
カプセル化剤はコアを含み得、コアは香料を含み得る。カプセル化剤はシェルを含み得、シェルは、メラミンホルムアルデヒド及び／又は架橋メラミンホルムアルデヒドを含み得る。カプセル化剤は、香料を含むコアと、メラミンホルムアルデヒド及び／又は架橋メラミンホルムアルデヒドを含むシェルと、を含み得る。
【０１６６】
好適なカプセル化剤は、コア材料とシェルとを含み得、シェルはコア材料を少なくとも部分的に取り囲む。少なくとも７５％、少なくとも８５％、又は更には少なくとも９０％のカプセル化剤は、約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａの破壊強度、及び０％〜約３０％、０％〜約２０％、又は更には０％〜約５％の有益剤漏れを有し得る。
【０１６７】
該カプセル化剤の少なくとも７５％、８５％、又は更には９０％は、約１マイクロメートル〜約８０マイクロメートル、約５マイクロメートル〜６０マイクロメートル、約１０マイクロメートル〜約５０マイクロメートル、又は更には約１５マイクロメートル〜約４０マイクロメートルの粒径を有し得る。
【０１６８】
該カプセル化剤の少なくとも７５％、８５％、又は更には９０％は、約３０ｎｍ〜約２５０ｎｍ、約８０ｎｍ〜約１８０ｎｍ、又は更には約１００ｎｍ〜約１６０ｎｍの粒子壁厚を有し得る。
【０１６９】
カプセル化剤のコアは、香料原材料からなる群から選択される材料、及び／又は任意に、以下からなる群から選択される材料を含む：ヒマシ油、ココナッツ油、綿実油、グレープ油、菜種油、大豆油、トウモロコシ油、ヤシ油、亜麻仁油、ベニバナ油、オリーブ油、ピーナッツ油、ココナッツ油、パーム核油、ヒマシ油、レモン油及びこれらの混合物を含むストレート及び／又はブレンド植物油を含む植物油、植物油のエステル（エステルは、アジピン酸ジブチル、フタル酸ジブチル、アジピン酸ブチルベンジル、アジピン酸ベンジルオクチル、リン酸トリクレジル、リン酸トリオクチル及びこれらの混合物を含む）、約８０℃を超える沸点を有する直鎖又は分岐鎖炭化水素を含む、直鎖又は分岐鎖炭化水素、部分的に水素化したテルフェニル、フタル酸ジアルキル、モノイソプロピルビフェニルを含むアルキルジフェニル、ジプロピルナフタレンを含むアルキル化ナフタレン、灯油、鉱油及びこれらの混合物を含む石油スピリット、ベンゼン、トルエン、又はこれらの混合物を含む芳香族溶媒、シリコーン油、又はこれらの混合物。
【０１７０】
カプセル化剤の壁は、アルデヒドとアミンとの反応生成物などの好適な樹脂を含み得る。好適なアルデヒドは、ホルムアルデヒドを含む。好適なアミンは、メラミン、ウレア、ベンゾグアナミン、グリコウリル、又はこれらの混合物を含む。好適なメラミンとしては、メチロールメラミン、メチル化メチロールメラミン、イミノメラミン及びこれらの混合物が挙げられる。好適な尿素は、ジメチロール尿素、メチル化ジメチロール尿素、尿素−レゾルシノール、又はこれらの混合物を含む。
【０１７１】
好適なホルムアルデヒドスカベンジャーは、カプセル化剤とともに、例えばカプセルスラリー中で用いて、及び／又は、カプセル化剤を本発明の組成物に加える前、加えている間、若しくは加えた後に、組成物に加えてよい。
【０１７２】
好適なカプセル化剤は、Ａｐｐｌｅｔｏｎ  Ｐａｐｅｒｓ  Ｉｎｃ．（Ａｐｐｌｅｔｏｎ，Ｗｉｓｃｏｎｓｉｎ  ＵＳＡ）から購入することができる。
【０１７３】
加えて、前述のカプセル化剤を作製するための材料は、Ｓｏｌｕｔｉａ  Ｉｎｃ．（Ｓｔ  Ｌｏｕｉｓ，Ｍｉｓｓｏｕｒｉ  Ｕ．Ｓ．Ａ．）、Ｃｙｔｅｃ  Ｉｎｄｕｓｔｒｉｅｓ（Ｗｅｓｔ  Ｐａｔｅｒｓｏｎ，Ｎｅｗ  Ｊｅｒｓｅｙ  Ｕ．Ｓ．Ａ．）、ｓｉｇｍａ−Ａｌｄｒｉｃｈ（Ｓｔ．Ｌｏｕｉｓ，Ｍｉｓｓｏｕｒｉ  Ｕ．Ｓ．Ａ．）、ＣＰ  Ｋｅｌｃｏ  Ｃｏｒｐ．ｏｆ  Ｓａｎ  Ｄｉｅｇｏ，Ｃａｌｉｆｏｒｎｉａ，ＵＳＡ、ＢＡＳＦ  ＡＧ（Ｌｕｄｗｉｇｓｃｈａｅｆｅｎ，Ｇｅｒｍａｎｙ）、Ｒｈｏｄｉａ  Ｃｏｒｐ（Ｃｒａｎｂｕｒｙ，Ｎｅｗ  Ｊｅｒｓｅｙ，ＵＳＡ）、Ｈｅｒｃｕｌｅｓ  Ｃｏｒｐ．（Ｗｉｌｍｉｎｇｔｏｎ，Ｄｅｌａｗａｒｅ，ＵＳＡ）、Ａｇｒｉｕｍ  Ｉｎｃ．（Ｃａｌｇａｒｙ，Ａｌｂｅｒｔａ，Ｃａｎａｄａ）、ＩＳＰ（Ｎｅｗ  Ｊｅｒｓｅｙ  Ｕ．Ｓ．Ａ．）、Ａｋｚｏ  Ｎｏｂｅｌ（Ｃｈｉｃａｇｏ，ＩＬ，ＵＳＡ）、Ｓｔｒｏｅｖｅｒ  Ｓｈｅｌｌａｃ  Ｂｒｅｍｅｎ（Ｂｒｅｍｅｎ，Ｇｅｒｍａｎｙ）、Ｄｏｗ  Ｃｈｅｍｉｃａｌ  Ｃｏｍｐａｎｙ（Ｍｉｄｌａｎｄ，ＭＩ，ＵＳＡ）、Ｂａｙｅｒ  ＡＧ（Ｌｅｖｅｒｋｕｓｅｎ，Ｇｅｒｍａｎｙ）、Ｓｉｇｍａ−Ａｌｄｒｉｃｈ  Ｃｏｒｐ．（Ｓｔ．Ｌｏｕｉｓ，Ｍｉｓｓｏｕｒｉ，ＵＳＡ）から得ることができる。
【０１７４】
香料
香料及び香料成分は本明細書に記載の洗剤組成物で使用され得る。香料及び香料成分の非限定的な例としては、アルデヒド、ケトン、エステルなどが挙げられるが、これらに限定されない。他の例としては様々な天然抽出物及び天然エキスが挙げられ、これらは、オレンジ油、レモン油、バラ抽出物、ラベンダー、ムスク、パチョリ、バルサムエキス、ビャクダン油、パイン油、シーダーなどの成分の複雑な混合物を含むことができる。最終芳香剤は、そのような成分の非常に複雑な混合物を含むことができる。最終香料は、洗剤組成物の約０．０１重量％〜約２重量％の範囲の濃度で含まれてよい。
【０１７５】
移染防止剤
布地洗剤組成物はまた、洗浄プロセス時にある布地から別の布地に染料が移染するのを阻止するのに効果的な１つ以上の材料を含み得る。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。使用する場合、これらの剤は、組成物の約０．０００１重量％〜約１０重量％、いくつかの例では組成物の約０．０１重量％〜約５重量％、他の例では組成物の約０．０５重量％〜約２重量％の濃度で使用され得る。
【０１７６】
キレート化剤
本明細書に記載の洗浄組成物は、また、１つ以上の金属イオンのキレート剤を含有してもよい。好適な分子としては、銅、鉄、及び／又はマンガンキレート剤、並びにこれらの混合物が挙げられる。そのようなキレート化剤は、ホスホネート、アミノカルボキシレート、アミノホスホネート、スクシネート、多官能置換された芳香族キレート化剤、２−ピリジノールーＮーオキシド化合物、ヒドロキサム酸、カルボキシメチルイヌリン、及びこれらの混合物からなる群から選択することができる。キレート剤は、アルカリ金属、アンモニウム、及びその置換アンモニウム塩、及びこれらの混合物を含む、酸又は塩の形で存在することができる。
【０１７７】
本明細書での使用に好適なキレート化剤は、市販のＤＥＱＵＥＳＴシリーズ、及びＭｏｎｓａｎｔｏ、Ａｋｚｏ−Ｎｏｂｅｌ、ＤｕＰｏｎｔ、Ｄｏｗのキレート化剤、ＢＡＳＦ及びＮａｌｃｏからのＴｒｉｌｏｎ（登録商標）シリーズである。
【０１７８】
キレート化剤は、本明細書に開示の洗剤組成物の約０．００５重量％〜約１５重量％、約０．０１重量％〜約５重量％、約０．１重量％〜約３．０重量％、約０．２重量％〜約０．７重量％、又は約０．３重量％〜約０．６重量％で本明細書に開示の洗剤組成物中に存在してよい。
【０１７９】
抑泡剤
本明細書に記載の洗剤組成物の中に泡の形成を低減又は抑制するための化合物を組み込むことができる。抑泡性は、米国特許第４，４８９，４５５号及び同第４，４８９，５７４号に記載されているようないわゆる「高濃度洗浄プロセス」において、そしてフロントローディング方式の洗濯機において、特に重要であり得る。
【０１８０】
抑泡剤として多種多様な材料を使用してよく、抑泡剤は当業者には周知である。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｔｈｉｒｄ  Ｅｄｉｔｉｏｎ，Ｖｏｌｕｍｅ  ７，ｐａｇｅｓ  ４３０〜４４７（Ｊｏｈｎ  Ｗｉｌｅｙ  ＆  Ｓｏｎｓ，Ｉｎｃ．，１９７９）を参照。抑泡剤の例としては、モノカルボン脂肪酸及びその中の可溶性塩、パラフィンなどの高分子量炭化水素、脂肪酸エステル（例えば、脂肪酸トリグリセリド）、一価アルコールの脂肪酸エステル、脂肪族Ｃ１８〜Ｃ４０ケトン（例えばステアロン）、Ｎ−アルキル化アミノトリアジン、好ましくは融点が約１００℃未満であるワックス状炭化水素、シリコーン抑泡剤、並びに第二級アルコールが挙げられる。
【０１８１】
更なる好適な発泡防止剤は、フェニルプロピルメチル置換ポリシロキサンから誘導されたものでる。
【０１８２】
特定の例では、洗剤組成物は、シリコーン樹脂及び修飾シリカである一次充填剤と組み合わせたアリール又はアルキルアリール置換基を伴う有機修飾シリコーンポリマーから選択される抑泡剤を含む。洗剤組成物は、組成物の約０．００１重量％〜約４．０重量％のそのような抑泡剤を含み得る。更なる例では、洗剤組成物は、ａ）約８０〜約９２％のエチルメチル、メチル（２−フェニルプロピル）シロキサン、約５〜約１４％のステアリン酸オクチル中のＭＱ樹脂、約３〜約７％の修飾シリカの混合物、ｂ）約７８〜約９２％のエチルメチル、メチル（２−フェニルプロピル）シロキサン、約３〜約１０％のステアリン酸オクチル中のＭＱ樹脂、約４〜約１２％の修飾シリカの混合物、又はｃ）これらの混合物から選択される抑泡剤を含み、パーセンテージは消泡剤の重量を基準とする。
【０１８３】
洗剤組成物は、組成物の約０．１重量％〜約１０重量％の抑泡剤を含み得る。抑泡剤として使用する場合、モノカルボン脂肪酸、及びその塩は、洗剤組成物の最大約５重量％、いくつかの例では、洗剤組成物の約０．５重量％〜約３重量％の量で存在し得る。シリコーン抑泡剤は、洗剤組成物の最大で約２．０重量％の量で使用され得るが、より多い量を使用することもできる。モノステアリルリン酸塩抑泡剤は、洗剤組成物の約０．１重量％〜約２重量％の範囲の量で使用され得る。炭化水素抑泡剤は、洗剤組成物の約０．０１重量％〜約５．０重量％の範囲の量で使用され得るが、より多いレベルを使用することもできる。アルコール抑泡剤は、洗剤組成物の約０．２％〜約３重量％の範囲の濃度で使用され得る。
【０１８４】
増泡剤
高起泡が望まれる場合、Ｃ１０〜Ｃ１６アルカノールアミドなどの増泡剤を、洗浄組成物の約１重量％〜約１０重量％の範囲の濃度で洗浄組成物に組み込むことができる。いくつかの例としては、Ｃ１０〜Ｃ１４モノエタノール及びジエタノールアミドが挙げられる。所望する場合、ＭｇＣｌ２、ＭｇＳＯ４、ＣａＣｌ２、ＣａＳＯ４などの水溶性マグネシウム塩及び／又はカルシウム塩を、洗浄組成物の約０．１重量％〜約２重量％のレベルで加えて、追加の泡をもたらし、グリース除去能を増大させてもよい。
【０１８５】
コンディショニング剤
本発明の組成物は、高融点脂肪族化合物を含み得る。本明細書において有用な高融点脂肪族化合物は、２５℃以上の融点を有し、脂肪族アルコール、脂肪酸、脂肪族アルコール誘導体、脂肪酸誘導体、及びこれらの混合物からなる群から選択される。このような低融点の化合物は、本項に含まれないものとする。高融点脂肪族化合物の非限定的な例は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ，Ｆｉｆｔｈ  Ｅｄｉｔｉｏｎ，１９９３、及びＣＴＦＡ  Ｃｏｓｍｅｔｉｃ  Ｉｎｇｒｅｄｉｅｎｔ  Ｈａｎｄｂｏｏｋ，Ｓｅｃｏｎｄ  Ｅｄｉｔｉｏｎ，１９９２に見出される。
【０１８６】
高融点脂肪族化合物は、組成物の約０．１重量％〜約４０重量％、好ましくは約１重量％〜約３０重量％、より好ましくは約１．５重量％〜約１６重量％、約１．５重量％〜約８重量％のレベルで組成物に含まれる。
【０１８７】
本発明の組成物は、非イオン性ポリマーをコンディショニング剤として含み得る。
【０１８８】
本組成物に使用するのに好適なコンディショニング剤は、一般にシリコーン（例えば、シリコーンオイル、カチオン性シリコーン、シリコーンガム、屈折率の高いシリコーン、及びシリコーン樹脂）、有機コンディショニングオイル（例えば、炭化水素油、ポリオレフィン、及び脂肪酸エステル）、若しくはこれらの組み合わせとして特徴付けられるコンディショニング剤、又は別の方法で本明細書の水性界面活性剤マトリックス中に液状の分散粒子を形成するコンディショニング剤である。シリコーンコンディショニング剤の濃度は、典型的には、約０．０１％〜約１０％の範囲である。
【０１８９】
本発明の組成物はまた、コンディショニング剤として、単独で又はシリコーン（本明細書に記載される）のような他のコンディショニング剤との組み合わせのいずれかで、約０．０５％〜約３％の少なくとも１つの有機コンディショニングオイルを含み得る。好適なコンディショニングオイルは、炭化水素油、ポリオレフィン、及び脂肪酸エステルを含む。
【０１９０】
布地改良ポリマー
好適な布地改良ポリマーは、典型的には、カチオン性に帯電し、かつ／又は高分子量を有する。
【０１９１】
本組成物の好適な濃度は、組成物の０．０１重量％〜５０重量％、好ましくは０．１重量％〜１５重量％、より好ましくは０．２重量％〜５．０重量％、最も好ましくは０．５重量％〜３．０％の範囲である。布地改良ポリマーは、ホモポリマーであってもよく、又は２種類以上のモノマーから形成してもよい。ポリマーのモノマー重量は一般に、５，０００〜１０，０００，０００、典型的には少なくとも１０，０００、好ましくは１００，０００〜２，０００，０００の範囲であろう。好ましい布地改良ポリマーは、組成物の意図される用途のｐＨ（通常、ｐＨ３〜ｐＨ９、好ましくはｐＨ４〜ｐＨ８の範囲）で、少なくとも約０．２ｍｅｑ／ｇｍ、好ましくは少なくとも０．２５ｍｅｑ／ｇｍ、より好ましくは少なくとも０．３ｍｅｑ／ｇｍのカチオン電荷密度を有するが、更に、好ましくは５ｍｅｑ／ｇｍ未満、より好ましくは３ｍｅｑ／ｇｍ未満、最も好ましくは２ｍｅｑ／ｇｍ未満のカチオン電荷密度を有する。
【０１９２】
布地改良ポリマーは、天然又は合成起源のものであってもよい。好ましい布地改良ポリマーは、置換及び非置換のポリ第四級アンモニウム化合物、カチオン性修飾多糖類、カチオン性修飾（メタ）アクリルアミドポリマー／コポリマー、カチオン性修飾（メタ）アクリレートポリマー／コポリマー、キトサン、第四級化ビニルイミダゾールポリマー／コポリマー、ジメチルジアリルアンモニウムポリマー／コポリマー、ポリエチレンイミン系ポリマー、カチオン性グアーガム、及びこれらの誘導体、並びにこれらの組み合わせからなる群から選択され得る。
【０１９３】
本発明の組成物に使用するのに好適な他の布地改良ポリマーは、例えば、ａ）１−ビニル−２−ピロリジン及び１−ビニル−３−メチル−イミダゾリウム塩（例えばクロリドａｌｔ）のコポリマー（米国化粧品工業会Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ（ＣＴＦＡ））の産業界においてポリクアテルニウム−１６と称される）、ｂ）１−ビニル−２−ピロリジン及びジメチルアミノエチルメタクリレートのコポリマー（産業界（ＣＴＦＡ）においてポリクアテルニウム−１１と称される）、ｃ）カチオン性ジアリル四級アンモニウム含有ポリマー、例えば、ジメチルジアリルアンモニウムクロリドホモポリマー、及びアクリルアミド及びジメチルジアリルアンモニウムクロリドのコポリマー（それぞれ、産業界（ＣＴＦＡ）においてポリクアテルニウム６及びポリクアテルニウム７と称される）、ｄ）米国特許第４，００９，２５６号に記載される、３〜５個の炭素原子を有する不飽和カルボン酸のホモ−及びコポリマーのアミノ−アルキルエステルの鉱酸塩、ｅ）アクリル酸及びジメチルジアリルアンモニウムクロリドのコポリマー（ＣＴＦＡの産業界においてポリクアテルニウム２２と称される）、ジメチルジアリルアンモニウムクロリド及びアクリルアミドを有するアクリル酸のターポリマー（ＣＴＦＡの産業界においてポリクアテルニウム３９と称される）、並びにメタクリルアミドプロピルトリメチルアンモニウムクロリド及びメチルアクリレートを有するターポリマー（ＣＴＦＡの産業界においてポリクアテルニウム４７と称される）を含むアクリル酸の両性コポリマー、を含む。
【０１９４】
本発明の組成物に好適な他の布地改良ポリマーは、カチオン性多糖類ポリマー、例えばカチオン性セルロース及びその誘導体、カチオン性デンプン及びその誘導体、並びにカチオン性グアーガム及びその誘導体を含む。他の好適なカチオン性多糖類ポリマーは、四級窒素含有セルロースエーテル、並びにエーテル化セルロース及びデンプンのコポリマーを含む。
【０１９５】
使用することができるカチオン性多糖類ポリマーの特に好適な種類は、カチオン性ポリガラクトマンナンガム誘導体などのカチオン性グアーガム誘導体である。
【０１９６】
充填剤及び担体
本明細書に記載されている洗浄組成物には、充填剤及び担体を用いてよい。本明細書で使用する場合、「充填剤」及び「担体」という用語は同じ意味を有し、同義的に用いることができる。
【０１９７】
液体洗浄組成物、及び液体成分を含むその他の形態の洗浄組成物（液体含有単位分量洗浄組成物など）は、水と他の溶媒を充填剤又は担体として含んでよい。メタノール、エタノール、プロパノール、及びイソプロパノールに代表される低分子量の第一級又は第二級アルコールが適している。いくつかの例では、界面活性剤を可溶化するために一価アルコールを用いてよく、２〜約６個の炭素原子と２〜約６個のヒドロキシ基を含むようなポリオール（例えば１，３−プロパンジオール、エチレングリコール、グリセリン、及び１，２−プロパンジオール）も用いてもよい。アミン含有溶媒も用いてよい。
【０１９８】
洗浄組成物は、組成物の約５重量％〜約９０重量％、いくつかの例では約１０重量％〜約５０重量％のそのような担体を含有し得る。圧密若しくは超圧密の重質液体又は他の形態の洗浄組成物では、水の使用は、組成物の約４０重量％未満、又は約２０重量％未満、又は約５％重量未満、又は約４重量％未満の遊離水、又は約３重量％未満の遊離水、又は約２重量％未満の遊離水であるか、又は遊離水を実質的に含まない場合もある（即ち、無水）。
【０１９９】
粉末又は固形の洗浄組成物、又は固体又は粉末成分を含む形態（粉末含有単位用量洗浄組成物など）では、好適な充填剤は、硫酸ナトリウム、塩化ナトリウム、粘土、又は他の不活性固体成分を含むが、これらに限定されない。充填剤は、また、バイオマス又は脱色バイオマスを含んでもよい。顆粒、固形、又は他の固体洗浄組成物中の充填剤は、洗浄組成物の約８０重量％未満、いくつかの例では、洗浄組成物の約５０重量％未満を含み得る。圧密若しくは超圧密の粉末又は固体洗浄組成物は、洗浄組成物の約４０重量％未満、約２０重量％未満、又は約１０重量％未満の充填剤を含み得る。
【０２００】
圧密若しくは超圧密の液体若しくは粉末の洗浄組成物、又は他の形態のいずれかでは、製品中の液体又は固体充填剤のレベルが低減されて、その結果、圧密されていない洗浄組成物と比較して同量の活性化学物質が洗浄液に送達されるか、又は、いくつかの例では洗浄組成物がより効率的であって、その結果、圧密されていない組成物と比較してより少量の活性化学物質が送達されるかのいずれかである。例えば、洗浄液は、洗浄液中の洗浄組成物の濃度が０ｇ／ｌ〜４ｇ／ｌ超となるような量で、洗浄組成物を水と接触させることにより形成されてもよい。いくつかの例では、濃度は、約１ｇ／ｌ〜約３．５ｇ／ｌ、若しくは約３．０ｇ／ｌ、若しくは約２．５ｇ／ｌ、若しくは約２．０ｇ／ｌ、若しくは約１．５ｇ／ｌ、又は約０ｇ／ｌ〜約１．０ｇ／ｌ、又は約０ｇ／ｌ〜約０．５ｇ／ｌであってよい。これらの用量は限定を意図するものではなく、当業者には明白であろう他の用量を使用することもできる。
【０２０１】
緩衝系
本明細書に記載の洗浄組成物は、水性洗浄操作での使用時に、洗浄水が約７．０〜約１２、いくつかの例では約７．０〜約１１のｐＨを有するように配合され得る。推奨される使用レベルでｐＨを調節する技術としては、緩衝剤、アルカリ、酸などの使用が挙げられ、これらは当業者には周知である。これらの技術としては、炭酸ナトリウム、クエン酸、若しくはクエン酸ナトリウム、モノエタノールアミン若しくは他のアミン、ホウ酸若しくはホウ酸塩、及び当該技術分野において既知の他のｐＨ調整化合物の使用が挙げられるが、これらに限定されない。
【０２０２】
本明細書中の洗浄組成物は、動的なインウオッシュｐＨプロフィールを含む。このような洗剤組成物は、（ｉ）水と接触した約３分後に、洗浄液のｐＨが１０を超える、（ｉｉ）水と接触した約１０分後に、洗浄液のｐＨが９．５未満である、（ｉｉｉ）水と接触した約２０分後に、洗浄液のｐＨが９．０未満である、そして、（ｉｖ）任意に、洗浄液の平衡ｐＨが、約７．０〜約８．５の範囲内であるように、他のｐＨ調整剤とともにワックスで覆われたクエン酸粒子を使用し得る。
【０２０３】
水溶性フィルム
本発明の組成物はまた、水溶性フィルム内にカプセル化されてもよい。好ましいフィルム材料は、好ましくはポリマー材料である。フィルム材料は、当該技術分野において既知であるように、例えば、ポリマー材料のキャスティング、吹込成形、押出成形、又は吹込押出成形により得ることができる。
【０２０４】
パウチ材料としての使用に好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを包含するポリサッカライド、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー、及びヒドロキシプロピルメチルセルロース（ＨＰＭＣ）、並びにこれらの組み合わせから選択される。好ましくは、パウチ材料中のポリマーのレベル、例えば、ＰＶＡポリマーのレベルは、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。ポリマー混合物もパウチ材料として使用することができる。
【０２０５】
当然のことながら、異なるフィルム材料及び／又は異なる厚さのフィルムも、また、本発明の区画の作製に選択されてもよい。異なるフィルムを選択する利点は、結果として生じる区画が異なる溶解性、即ち遊離特性を呈し得ることである。
【０２０６】
好適なフィルム材料は、ＭｏｎｏＳｏｌの商品照会名Ｍ８６３０、Ｍ８９００、Ｈ８７７９として既知のＰＶＡフィルム、及び対応する溶解度及び変形性特性のＰＶＡフィルムである。更に好ましいフィルムは、米国特許第２００６／０２１３８０１号、国際公開第２０１０／１１９０２２号、米国特許第２０１１／０１８８７８４号、及び同第６７８７５１２号に記載されているものである。
【０２０７】
また、本明細書のフィルム材料は、１つ以上の添加剤成分を含んでもよい。例えば、グリセロール、エチレングリコール、ジエチレングリコール、プロピレングリコール、ソルビトール、及びこれらの混合物などの可塑剤の添加が有益であり得る。他の添加剤としては、洗浄水に送達される機能性洗剤添加剤、例えば有機ポリマー分散剤などが挙げられる。
【０２０８】
フィルムは、水に可溶性であるか、又は分散性であり、２０マイクロメートルの最大孔径を有するガラスフィルターを用いた後に本明細書で示される方法によって測定される場合に、好ましくは少なくとも５０％、好ましくは少なくとも７５％、又は更には少なくとも９５％の水溶性を有する。５０グラム±０．１グラムのフィルム材料が予め計量された４００ｍｌのビーカーに加えられ、２４５ｍｌ＊１ｍｌの蒸留水が加えられる。これを、６００ｒｐｍに設定した磁気撹拌機上で３０分間激しく撹拌する。その後、混合物を、上記で定義した孔径（最大２０マイクロメートル）の折り畳んだ定性分析用焼結ガラス濾紙で濾過する。回収した濾液から任意の従来の方法によって水を乾燥させ、残った材料の重量を測定する（これが溶解又は分散画分である）。その後、溶解度（％）又は分散度（％）を計算することができる。
【０２０９】
フィルムは、嫌悪剤、例えば苦味剤を含み得る。好適な苦味剤は、ナリンギン、オクタアセチルスクロース、塩酸キニーネ、安息香酸デナトニウム、又はこれらの混合物を含むが、これらに限定されない。任意の好適なレベルの嫌悪剤がフィルムに使用され得る。好適なレベルは、１〜５０００ｐｐｍ、又は更には１００〜２５００ｐｐｍ、又は更には２５０〜２０００ｒｐｍを含むが、これらに限定されない。
【０２１０】
フィルムは、印刷面積を有し得る。印刷面積は、フィルム全体又はその一部を覆うことができる。印刷面積は単色から構成されるか、又は複数色、更には３色から構成され得る。印刷面積は、白色、黒色、及び赤色から構成され得る。印刷面積は、顔料、染料、青味剤、又はこれらの混合物を含み得る。印刷は、フィルムの表面上に層として存在するか、又はフィルム内に少なくとも部分的に浸透し得る。
【０２１１】
他の補助剤成分
多種多様の他の成分が本明細書の洗浄組成物中で使用されてもよく、他の成分として他の活性成分、担体、ヒドロトロープ、加工助剤、染料若しくは顔料、液体配合物用溶媒、及び固体若しくは他の液体の充填剤、エリトロシン、コロイド状シリカ、ワックス、プロバイオティクス、サーファクチン（surfactin）、アミノセルロース系ポリマー、リシノール酸亜鉛、香料マイクロカプセル、ラムノリピド、ソホロリピド、グリコペプチド、メチルエステルスルホン酸塩、メチルエステルエトキシレート、スルホン化エストリド、開裂可能界面活性剤、バイオポリマー、シリコーン、修飾シリコーン、アミノシリコーン、付着助剤、イナゴマメゴム、カチオン性ヒドロキシエチルセルロースポリマー、カチオン性グアー、ヒドロトロープ（特にキュメンスルホン酸塩、トルエンスルホン酸塩、キシレンスルホン酸塩、及びナフタリン塩）、酸化防止剤、ＢＨＴ、ＰＶＡ粒子−カプセル化染料若しくは香料、真珠光沢剤、発泡助剤、色調変更系、シリコーンポリウレタン、乳白剤、錠剤崩壊剤、バイオマス充填剤、速乾性シリコーン、グリコールジステアレート、ヒドロキシエチルセルロースポリマー、疎水性修飾セルロースポリマー若しくはヒドロキシエチルセルロースポリマー、デンプン香料カプセル化剤、乳化油、ビスフェノール酸化防止剤、微細繊維状セルロース界面活性剤、副香料（properfumes）、スチレン／アクリレートポリマー、トリアジン、石鹸、スーパーオキシドジスムターゼ、ベンゾフェノンプロテアーゼ阻害剤、官能化ＴｉＯ２、ジブチルリン酸塩、シリカ香料カプセル、及び他の補助成分、ジエチレントリアミン五酢酸、タイロン（１，２−ジヒドロキシベンゼン−３，５−ジスルホン酸）、ヒドロキシエタンジメチレンホスホン酸、メチルグリシン二酢酸、コリンオキシダーゼ、ペクタートリアーゼ、トリアリールメタンブルー及びバイオレット塩基性染料、メチンブルー及びバイオレット塩基性染料、アントラキノンブルー及びバイオレット塩基性染料、アゾ染料ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８、オキサジン染料、ベーシックブルー３、ベーシックブルー７５、ベーシックブルー９５、ベーシックブルー１２２、ベーシックブルー１２４、ベーシックブルー１４１、ナイルブルーＡ及びキサンテン染料ベーシックバイオレット１０、アルコキシル化トリフェニルメタンポリマー着色剤、アルコキシル化チオフェンポリマー着色剤、チアゾリウム染料、雲母、二酸化チタン被覆雲母、オキシ塩化ビスマス、パラフィンワックス、スクロースエステル、美的染料、ヒドロキサメートキレート及び他の活性剤が挙げられる。
【０２１２】
本明細書に記載の洗浄組成物はまた、ビタミン及びアミノ酸、例えば水溶性ビタミン及びそれらの誘導体、水溶性アミノ酸並びにそれらの塩及び／又は誘導体、水不溶性アミノ酸粘度調整剤、染料、不揮発性溶媒又は希釈剤（水溶性及び水不溶性）、真珠光沢助剤、増泡剤、追加的な界面活性剤又は非イオン性補助界面活性剤、殺シラミ剤、ｐＨ調整剤、香料、防腐剤、キレート化剤、タンパク質、皮膚活性剤、日焼け止め、ＵＶ吸収剤、ビタミン、ナイアシンアミド、カフェイン、及びミノキシジルを含有し得る。
【０２１３】
本明細書に記載の洗浄組成物は、また、ニトロソ、モノアゾ、ジスアゾ（disazo）、カロチノイド、トリフェニルメタン、トリアリールメタン、キサンテン、キノリン、オキサジン、アジン、アントラキノン、インジゴイド、チオンインジゴイド、キナクリドン、フタロシアニン、Ｃ．Ｉ．名を有するものなどの水溶性成分を包含する植物、及び天然の色などの色素材料を含有してもよい。本発明の洗浄組成物は、また、抗菌剤を含有してもよい。
【０２１４】
洗浄組成物の作製方法
本開示の洗浄組成物は、バッチプロセス又は連続のループプロセスなど、当業者に既知の従来の方法により調製されてもよい。本開示の洗浄組成物は任意の好適な形態に配合でき、配合者により選択された任意のプロセスで調製することができる。
【０２１５】
使用方法
本発明は、汚れた素材を洗浄する方法を含む。当業者であれば分かるように、本発明の洗浄組成物は、洗濯での前処理用途、洗濯洗浄用途、及びホームケア用途で用いるのに適している。
【０２１６】
このような方法としては、洗浄組成物をそのままの形態で、又は洗浄液で希釈した状態で、汚れた素材の少なくとも一部と接触させてから、任意に応じて、汚れた素材をすすぐ工程が挙げられるが、これに限らない。任意のすすぎ工程の前に、汚れた素材に対して洗浄工程を行ってよい。
【０２１７】
洗濯での前処理用途での使用では、使用法は、本明細書に記載されている洗浄組成物を汚れた布地と接触させることを含んでよい。前処理の後、汚れた布地を洗濯機で洗濯したり、又はさもなければすすいでもよい。
【０２１８】
機械洗濯法は、本発明による機械洗濯用洗浄組成物が有効量溶解又は投与されている洗濯機の中で、汚れた洗濯物を洗浄水溶液で処理することを含んでよい。「有効量」の洗浄組成物とは、約５Ｌ〜約６５Ｌの体積の洗浄溶液中に溶解又は分散された約２０ｇ〜約３００ｇの生成物を意味する。水温は、約５℃〜約１００℃の範囲であってよい。水と汚れた素材（例えば、布地）との比率は、約１：１〜約２０：１であってよい。布地洗濯組成物の文脈において、使用レベルはまた、汚れ及びしみの種類及び程度だけでなく、洗浄水の温度、洗浄水の体積、及び洗濯機の種類（例えば、上側投入式、前側投入式、上側投入式、垂直軸型日本タイプ自動洗濯機）により様々であってよい。
【０２１９】
本明細書における洗浄組成物は、低減された洗浄温度で布地を洗濯するために使用されてもよい。布地を洗濯するこれらの方法は、洗濯洗浄組成物を水に送達して、洗浄液を形成し、洗濯する布地を該洗浄液に添加する工程を含み、洗浄液は、約０℃〜約２０℃、又は約０℃〜約１５℃、又は約０℃〜約９℃の温度を有する。布地は、洗浄組成物を水に接触させる前、又は後、又は同時に水と接触させてよい。
【０２２０】
別な方法は、洗浄組成物の実施形態により含浸された不織基材を汚れた素材と接触させることを含む。本明細書で使用するとき、「不織布基材」は、好適な坪量、キャリパー（厚さ）、吸収性及び強さ特性を有する従来通り形作られた任意の不織布シート又はウェブを包含することができる。好適な市販の不織布基材の非限定的な例としては、ＤｕＰｏｎｔより商品名ＳＯＮＴＡＲＡ（登録商標）及びＪａｍｅｓ  Ｒｉｖｅｒ  Ｃｏｒｐ．より商品名ＰＯＬＹＷＥＢ（登録商標）として販売されるものが挙げられる。
【０２２１】
手洗浄／浸漬方法、及び半自動洗浄機による組み合された手洗浄も含まれる。
【０２２２】
機械食器洗浄方法
汚れた皿、食卓用食器、銀製食器、又は他のキッチン用食器の機械食器洗浄方法又は手での食器洗浄方法が含まれる。機械食器洗浄の１つの方法は、汚れた皿、食卓用食器、銀製食器、及び他のキッチン用食器をその中に溶解又は分散された、有効量の本発明に従った機械食器洗浄用組成物を溶解又は分散した水性液体で処理することを含む。「有効量」の機械食器洗浄組成物とは、約３Ｌ〜約１０Ｌの体積の洗浄溶液中に溶解又は分散させた約８ｇ〜約６０ｇの生成物を意味する。
【０２２３】
手での食器洗浄の１つの方法は、水を入れた容器の中に洗浄組成物を溶解し、続いて汚れた皿、食卓用食器、銀製食器、又は他のキッチン用食器を食器洗浄液と接触させ、次いで汚れた皿、食卓用食器、銀製食器、又は他のキッチン用食器を手で磨く、拭く、又はすすぐことを含む。手での食器洗浄のもう１つの方法は、汚れた皿、食卓用食器、銀製食器、又は他のキッチン用食器上に洗浄組成物を直接に適用し、次いで汚れた皿、食卓用食器、銀製食器、又は他のキッチン用食器を手でこする、拭く、又はすすぐことを含む。いくつかの例では、手での食器洗浄に対する洗浄組成物の有効な量は、水中に希釈した約０．５ｍＬ〜約２０ｍＬである。
【０２２４】
組成物のためのパッケージ化
本明細書に記載の洗浄組成物は、紙、厚紙、プラスチック材料、及び任意の好適な積層物から構築されるものを含む、任意の好適な容器中にパッケージ化することができる。
【０２２５】
多区画パウチ添加剤
本明細書に記載の洗剤組成物は、多区画洗剤組成物としてパッケージ化することもできる。
【実施例】
【０２２６】
実施例１〜７：アルコキシル化とその後の還元アミノ化
実施例１ａ：１モルの２−ブチル−２−エチル−１，３−プロパンジオール＋４．０モルのエチレンオキシド
２ｌのオートクレーブ中で、１６０．０ｇの２−ブチル−２−エチル−１，３−プロパンジオールと０．８ｇのカリウムｔｅｒｔ．−ブチレートとを混合する。オートクレーブを窒素で３回パージし、１４０℃に加熱する。１７６．２ｇのエチレンオキシドを分けて３時間以内に添加する。反応を完了させるために、混合物を１４０℃で更に６時間、後反応させる。１．０ｇの合成ケイ酸マグネシウム（Ｍａｃｒｏｓｏｒｂ  ＭＰ５ｐｌｕｓ，Ｉｎｅｏｓ  Ｓｉｌｉｃａｓ  Ｌｔｄ．）を添加し、１００℃で２時間撹拌し、真空下で２時間脱水することにより触媒を除去する。濾過後、３３０．０ｇの淡黄色の油を得る（ヒドロキシ価：３５８．９ｍｇＫＯＨ／ｇ）。
【０２２７】
実施例１ｂ：アミノ化した１モルの２−ブチル−２−エチル−１，３−プロパンジオール＋４．０モルのエチレンオキシド
国際公開第２０１３／０７２２８９  Ａ１号に記載されるように、７０ｍＬのニッケル、コバルト、銅、及びスズ含有触媒を充填した管式反応器（長さ５００ｍｍ、直径１８ｍｍ）中でアルコールを連続してアミノ化する。１９０℃の温度及び１２ＭＰａ（１２０バール）の圧力で、１時間当たり１０．０ｇのアルコール、３０ｇのアンモニア、及び８ＮＬの水素を反応器に通過させる。回転蒸発器上に粗材料を回収して取り除き、過剰のアンモニア、軽量アミン、及び反応水を除去し、アミノ化生成物を得る。反応生成物の分析データを表１に示す。
【０２２８】
【表１】
0006396583.tif 000021
【０２２９】
実施例２ａ：１モルの２−ブチル−２−エチル−１，３−プロパンジオール＋２．０モルのプロピレンオキシド＋２．０モルのエチレンオキシド
２  ｌのオートクレーブ中で、２４７．０ｇの２−ブチル−２−エチル−１，３−プロパンジオールと１．１ｇのカリウムｔｅｒｔ．−ブチレートとを混合する。オートクレーブを窒素で３回パージし、１４０℃に加熱する。１７９．３ｇのプロピレンオキシドを分けて２時間以内に添加する。混合物を１４０℃で５時間撹拌し、その後、１３６．０ｇのエチレンオキシドを１．５時間以内に添加する。反応を完了させるために、混合物を１４０℃で更に６時間、後反応させる。１．７ｇの合成ケイ酸マグネシウム（Ｍａｃｒｏｓｏｒｂ  ＭＰ５ｐｌｕｓ，Ｉｎｅｏｓ  Ｓｉｌｉｃａｓ  Ｌｔｄ．）を添加し、１００℃で２時間撹拌し、真空下で２時間脱水することにより触媒を除去する。濾過後、５５０．０ｇの黄色の油を得る（ヒドロキシ価：２８９．４ｍｇＫＯＨ／ｇ）。
【０２３０】
実施例２ｂ：アミノ化した１モルの２−ブチル−２−エチル−１，３−プロパンジオール＋２．０モルのプロピレンオキシド＋２．０モルのエチレンオキシド
実施例１ｂに記載されるように、アルコールをアミノ化する。１８５℃の温度及び１２ＭＰａ（１２０バール）の圧力で、１時間当たり９，４ｇのアルコール、３０ｇのアンモニア、及び８ＮＬの水素を反応器に通過させる。回転蒸発器上に粗材料を回収して取り除き、過剰のアンモニア、軽量アミン、及び反応水を除去し、アミノ化生成物を得る。反応生成物の分析データを表２に示す。
【０２３１】
【表２】
0006396583.tif 000022
【０２３２】
実施例３ａ：１モルの２−ブチル−２−エチル−１，３−プロパンジオール＋４．０モルのプロピレンオキシド＋２．０モルのエチレンオキシド
２  ｌのオートクレーブ中で、１６６．０ｇの２−ブチル−２−エチル−１，３−プロパンジオールと１．０ｇのカリウムｔｅｒｔ．−ブチレートとを混合する。オートクレーブを窒素で３回パージし、１４０℃に加熱する。２４１．０ｇのプロピレンオキシドを分けて３時間以内に添加する。混合物を１４０℃で５時間撹拌し、その後、９１．４ｇのエチレンオキシドを１．５時間以内に添加する。反応を完了させるために、混合物を１４０℃で更に６時間、後反応させる。１．５ｇの合成ケイ酸マグネシウム（Ｍａｃｒｏｓｏｒｂ  ＭＰ５ｐｌｕｓ，Ｉｎｅｏｓ  Ｓｉｌｉｃａｓ  Ｌｔｄ．）を添加し、１００℃で２時間撹拌し、真空下で２時間脱水することにより触媒を除去する。濾過後、５００．０ｇの黄色の油を得る（ヒドロキシ価：２５４．１ｍｇＫＯＨ／ｇ）。
【０２３３】
実施例３ｂ：アミノ化した１モルの２−ブチル−２−エチル−１，３−プロパンジオール＋４．０モルのプロピレンオキシド＋２．０モルのエチレンオキシド
実施例１ｂに記載されるように、アルコールをアミノ化する。１８５℃の温度及び１２ＭＰａ（１２０バール）の圧力で、１時間当たり９，４ｇのアルコール、３０ｇのアンモニア、及び８ＮＬの水素を反応器に通過させる。回転蒸発器上に粗材料を回収して取り除き、過剰のアンモニア、軽量アミン、及び反応水を除去し、アミノ化生成物を得る。反応生成物の分析データを表３に示す。
【０２３４】
【表３】
0006396583.tif 000023
【０２３５】
実施例４ａ：１モルの２，２−ジメチル−１，３−プロパンジオール＋４．０モルのエチレンオキシド
２  ｌのオートクレーブ中に、２６０．４ｇの２，２−ジメチル−１，３−プロパンジオール（フレーク）と１．４ｇのカリウムｔｅｒｔ．−ブチレートとを設置する。オートクレーブを窒素で３回パージし、１４０℃に加熱する。４４０．５ｇのエチレンオキシドを分けて５時間以内に添加する。反応を完了させるために、混合物を１４０℃で更に６時間、後反応させる。２．１ｇの合成ケイ酸マグネシウム（Ｍａｃｒｏｓｏｒｂ  ＭＰ５ｐｌｕｓ，Ｉｎｅｏｓ  Ｓｉｌｉｃａｓ  Ｌｔｄ．）を添加し、１００℃で２時間撹拌し、真空下で２時間脱水することにより触媒を除去する。濾過後、７００．０ｇの黄色の油を得る（ヒドロキシ価：３８７．８ｍｇＫＯＨ／ｇ）。
【０２３６】
実施例４ｂ：アミノ化した１モルの２，２−ジメチル−１，３−プロパンジオール＋４．０モルのエチレンオキシド
実施例１ｂに記載されるように、アルコールをアミノ化する。１９０℃の温度及び１２ＭＰａ（１２０バール）の圧力で、１時間当たり９，８ｇのアルコール、３０ｇのアンモニア、及び８ＮＬの水素を反応器に通過させる。回転蒸発器上に粗材料を回収して取り除き、過剰のアンモニア、軽量アミン、及び反応水を除去し、アミノ化生成物を得る。反応生成物の分析データを表４に示す。
【０２３７】
【表４】
0006396583.tif 000024
【０２３８】
実施例５ａ：１モルの２，２−ジメチル−１，３−プロパンジオール＋２．０モルのプロピレンオキシド＋２．０モルのエチレンオキシド
２  ｌのオートクレーブ中に、１１０．０ｇの２，２−ジメチル−１，３−プロパンジオール（フレーク）と０．７ｇのカリウムｔｅｒｔ．−ブチレートとを設置する。オートクレーブを窒素で３回パージし、１４０℃に加熱する。１２２．９ｇのプロピレンオキシドを分けて２時間以内に添加する。混合物を１４０℃で５時間撹拌し、続いて、９３．２ｇのエチレンオキシドを１時間以内に添加する。反応を完了させるために、混合物を１４０℃で更に６時間、後反応させる。１．０ｇの合成ケイ酸マグネシウム（Ｍａｃｒｏｓｏｒｂ  ＭＰ５ｐｌｕｓ，Ｉｎｅｏｓ  Ｓｉｌｉｃａｓ  Ｌｔｄ．）を添加し、１００℃で２時間撹拌し、真空下で２時間脱水することにより触媒を除去する。濾過後、３２５．０ｇの黄色の油を得る（ヒドロキシ価：３２８．６ｍｇＫＯＨ／ｇ）。
【０２３９】
実施例５ｂ：アミノ化した１モルの２，２−ジメチル−１，３−プロパンジオール＋２．０モルのプロピレンオキシド＋２．０モルのエチレンオキシド
実施例１ｂに記載されるように、アルコールをアミノ化する。１９０℃の温度及び１２ＭＰａ（１２０バール）の圧力で、１時間当たり９，５ｇのアルコール、３０ｇのアンモニア、及び８ＮＬの水素を反応器に通過させる。回転蒸発器上に粗材料を回収して取り除き、過剰のアンモニア、軽量アミン、及び反応水を除去し、アミノ化生成物を得る。反応生成物の分析データを表５に示す。
【０２４０】
【表５】
0006396583.tif 000025
【０２４１】
実施例６ａ：１モルの２，２−ジメチル−１，３−プロパンジオール＋４．０モルのプロピレンオキシド＋２．０モルのエチレンオキシド
２  ｌのオートクレーブ中に、１５０．０ｇの２，２−ジメチル−１，３−プロパンジオール（フレーク）と１．２ｇのカリウムｔｅｒｔ．−ブチレートとを設置する。オートクレーブを窒素で３回パージし、１４０℃に加熱する。３３４．５ｇのプロピレンオキシドを分けて４時間以内に添加する。混合物を１４０℃で５時間撹拌し、続いて、１２６．９ｇのエチレンオキシドを２時間以内に添加する。反応を完了させるために、混合物を１４０℃で更に６時間、後反応させる。１．９ｇの合成ケイ酸マグネシウム（Ｍａｃｒｏｓｏｒｂ  ＭＰ５ｐｌｕｓ，Ｉｎｅｏｓ  Ｓｉｌｉｃａｓ  Ｌｔｄ．）を添加し、１００℃で２時間撹拌し、真空下で２時間脱水することにより触媒を除去する。濾過後、６２０．０ｇの黄色の油を得る（ヒドロキシ価：２６３．１ｍｇＫＯＨ／ｇ）。
【０２４２】
実施例６ｂ：アミノ化した１モルの２，２−ジメチル−１，３−プロパンジオール＋４．０モルのプロピレンオキシド＋２．０モルのエチレンオキシド
実施例１ｂに記載されるように、アルコールをアミノ化する。１９０℃の温度及び１２ＭＰａ（１２０バール）の圧力で、１時間当たり９，３ｇのアルコール、３０ｇのアンモニア、及び８ＮＬの水素を反応器に通過させる。回転蒸発器上に粗材料を回収して取り除き、過剰のアンモニア、軽量アミン、及び反応水を除去し、アミノ化生成物を得る。反応生成物の分析データを表６に示す。
【０２４３】
【表６】
0006396583.tif 000026
【０２４４】
実施例７ａ：１モルの２，２−ジメチル−１，３−プロパンジオール＋６．０モルのプロピレンオキシド＋４．０モルのエチレンオキシド
２  ｌのオートクレーブ中に、１１０．０ｇの２，２−ジメチル−１，３−プロパンジオール（フレーク）と１．３ｇのカリウムｔｅｒｔ．−ブチレートとを設置する。オートクレーブを窒素で３回パージし、１４０℃に加熱する。３６８．６ｇのプロピレンオキシドを分けて４時間以内に添加する。混合物を１４０℃で５時間撹拌し、続いて、１８６．４ｇのエチレンオキシドを２時間以内に添加する。反応を完了させるために、混合物を１４０℃で更に６時間、後反応させる。２．０ｇの合成ケイ酸マグネシウム（Ｍａｃｒｏｓｏｒｂ  ＭＰ５ｐｌｕｓ，Ｉｎｅｏｓ  Ｓｉｌｉｃａｓ  Ｌｔｄ．）を添加し、１００℃で２時間撹拌し、真空下で２時間脱水することにより触媒を除去する。濾過後、６７５．０ｇの黄色の油を得る（ヒドロキシ価：１９７．０ｍｇＫＯＨ／ｇ）。
【０２４５】
実施例７ｂ：アミノ化した１モルの２，２−ジメチル−１，３−プロパンジオール＋６．０モルのプロピレンオキシド＋４．０モルのエチレンオキシド
実施例１ｂに記載されるように、アルコールをアミノ化する。１９０℃の温度及び１２ＭＰａ（１２０バール）の圧力で、１時間当たり８，８ｇのアルコール、３０ｇのアンモニア、及び８ＮＬの水素を反応器に通過させる。回転蒸発器上に粗材料を回収して取り除き、過剰のアンモニア、軽量アミン、及び反応水を除去し、アミノ化生成物を得る。反応生成物の分析データを表７に示す。
【０２４６】
【表７】
0006396583.tif 000027
【０２４７】
実施例８及び９：アルコキシル化とその後の還元シアノエチル化
実施例８ａ：１モルの２−ブチル−２−エチル−１，３−プロパンジオール＋２．０モルのプロピレンオキシド
２  ｌのオートクレーブ中で、４８０．０ｇの２−ブチル−２−エチル−１，３−プロパンジオールと１．６６ｇのカリウムｔｅｒｔ．−ブチレートとを混合する。オートクレーブを窒素で３回パージし、１４０℃に加熱する。３４８．０ｇのプロピレンオキシドを分けて６時間以内に添加する。反応を完了させるために、混合物を１４０℃で更に５時間、後反応させる。反応混合物を窒素で取り除き、揮発性合物を８０℃の真空下で除去する。８３０．０ｇの淡黄色の油を得る。ＣＤＣｌ３の１Ｈ−ＮＭＲは、１モルの２−ブチル−２−エチル−１，３−プロパンジオール当たり２．０モルのプロピレンオキシドの追加を示す。
【０２４８】
実施例８ｂ：１モルの２−ブチル−２−エチル−１，３−プロパンジオール＋２．０モルのプロピレンオキシド＋２．０モルのアクリロニトリル
還流冷却器、窒素入口、温度計、及び滴下漏斗を備えた４つ口ガラス管中に、２７４．４ｇの２−ブチル−２−エチル−１，３−プロパンジオール＋１．０ＰＯ／ＯＨ（１ａ）、及び２．３ｇのテトラキス（２−ヒドロキシエチル）水酸化アンモニウム（水中５０％）を充填する。温度を６０℃に上げ、１０９．３ｇのアクリロニトリルを０．５時間以内に滴下して添加する。反応混合物を６０℃で３時間撹拌し、濾過し、揮発性化合物を真空下で除去する。３７５．０ｇの橙色の液体を得る。ＣＤＣｌ３の１Ｈ−ＮＭＲは、アクリロニトリルの完全な変換を示す。
【０２４９】
実施例８ｃ：水素化した１モルの２−ブチル−２−エチル−１，３−プロパンジオール＋２．０モルのプロピレンオキシド＋２．０モルのアクリロニトリル
欧州特許第６３６４０９号に記載されるように調製した分割されたコバルト触媒で充填した管式反応器（長さ５００ｍｍ、直径１８ｍｍ）中でニトリルを連続して水素化する。１００〜１１０℃の温度及び１６ＭＰａ（１６０バール）の圧力で、１時間当たり１５，０ｇのＴＨＦ中のニトリルの溶液（２０重量−％）、２３ｇのアンモニア、及び１６ＮＬの水素を反応器に通過させる。回転蒸発器上に粗材料を回収して取り除き、過剰のアンモニア、軽量アミン、及びＴＨＦを除去し、水素化生成物を得る。１Ｈ及び１３Ｃ−ＮＭＲ分析は、ニトリルの完全な変換を示す。滴定による分析データを表８に要約する。
【０２５０】
【表８】
0006396583.tif 000028
【０２５１】
実施例９ａ：１モルの２−ブチル−２−エチル−１，３−プロパンジオール＋４．０モルのプロピレンオキシド
２  ｌのオートクレーブ中で、３２３．０ｇの２−ブチル−２−エチル−１，３−プロパンジオールと１．５７ｇのカリウムｔｅｒｔ．−ブチレートとを混合する。オートクレーブを窒素で３回パージし、１４０℃に加熱する。４６８．４ｇのプロピレンオキシドを分けて８時間以内に添加する。反応を完了させるために、混合物を１４０℃で更に５時間、後反応させる。反応混合物を窒素で取り除き、揮発性合物を８０℃の真空下で除去する。７９０．０ｇの淡黄色の油を得る。ＣＤＣｌ３の１Ｈ−ＮＭＲは、１モルの２−ブチル−２−エチル−１，３−プロパンジオール当たり４．０モルのプロピレンオキシドの追加を示す。
【０２５２】
実施例９ｂ：１モルの２−ブチル−２−エチル−１，３−プロパンジオール＋４．０モルのプロピレンオキシド＋２．０モルのアクリロニトリル
還流冷却器、窒素入口、温度計、及び滴下漏斗を備えた４つ口ガラス管中に、２３９．９ｇの２−ブチル−２−エチル−１，３−プロパンジオール＋２．０ＰＯ／ＯＨ（２ａ）、及び１．４ｇのテトラキス（２−ヒドロキシエチル）水酸化アンモニウム（水中５０％）を充填する。温度を６０℃に上げ、７７．８ｇのアクリロニトリルを０．５時間以内に滴下して添加する。反応混合物を６０℃で３時間撹拌し、濾過し、揮発性化合物を真空下で除去する。３１５．０ｇの橙色の液体を得る。ＣＤＣｌ３の１Ｈ−ＮＭＲは、アクリロニトリルの完全な変換を示す。
【０２５３】
実施例９ｃ：水素化した１モルの２−ブチル−２−エチル−１，３−プロパンジオール＋４．０モルのプロピレンオキシド＋２．０モルのアクリロニトリル
実施例１ｃに記載されるように、ニトリルを水素化する。１１０℃の温度及び１６ＭＰａ（１６０バール）の圧力で、１時間当たり１６，０ｇのＴＨＦ中のニトリルの溶液（２０重量％）、２４ｇのアンモニア、及び１６ＮＬの水素を反応器に通過させる。回転蒸発器上に粗材料を回収して取り除き、過剰のアンモニア、軽量アミン、及びＴＨＦを除去し、水素化生成物を得る。１Ｈ及び１３Ｃ−ＮＭＲ分析は、ニトリルの完全な変換を示す。滴定による分析データを表９に要約する。
【０２５４】
【表９】
0006396583.tif 000029
【０２５５】
本明細書で開示する寸法及び値は、列挙された正確な数値に厳密に限られるとして理解されるべきではない。むしろ、特に断らないかぎり、それぞれのこのような寸法は、列挙される値とその値の周辺の機能的に同等の範囲との両方を意味するものとする。例えば、「４０ｍｍ」として開示された寸法は、「約４０ｍｍ」を意味するものとする。
【０２５６】
任意の相互参照又は関連特許若しくは関連出願を含む本明細書に引用される全ての文献は、明示的に除外ないしは別の方法で限定されない限り、参照によりその全体が本明細書に組み込まれる。いずれの文献の引用も、本明細書中で開示又は特許請求される任意の発明に対する先行技術であるとはみなされず、またその文献が、単独で又は他の任意の参考文献（単数又は複数）とのあらゆる組み合わせにおいて、そのような発明のいずれかを教示、示唆、又は開示するとはみなされない。更に、本文書における用語の任意の意味又は定義が、参照することによって組み込まれた文書内の同じ用語の意味又は定義と矛盾する場合には、本文書におけるその用語に与えられた意味又は定義を優先するものとする。
【０２５７】
本発明の特定の実施形態を例示及び記載したが、本発明の趣旨及び範囲から逸脱することなく他の様々な変更及び改変を実施できることは、当業者には明らかであろう。したがって、本発明の範囲内に含まれるそのような全ての変更及び改変は、添付の特許請求の範囲にて網羅することを意図する。